(57)【要約】  本発明の実施例は、通信方法、端末デバイス、及びネットワークデバイスを提供する。当該方法は、端末デバイスは、第１の周波数ドメインリソースを確定することと、端末デバイスは第２の周波数ドメインリソースを確定し、第２の周波数ドメインリソースが、第２のターゲット時間ユニットにおいて第２のＴＴＩを使用して、第２の物理チャネルを伝送するために用いられると確定されることと、端末デバイスは第３の周波数ドメインリソースを確定することと、を含み、第１の周波数ドメインリソースが、第１のＴＴＩ第１のターゲット時間ユニットにおいて第１の物理チャネルを伝送することをサポートするように予め設定される使用可能なリソースであり、ここで、第１のＴＴＩの時間長が第１のターゲット時間ユニットの時間長と等しく、第２のＴＴＩが第１のＴＴＩ以上であり、しかも第２のターゲット時間ユニットが第１のターゲット時間ユニット少なくとも部分的に重なり、第３の周波数ドメインリソースが、第２の周波数ドメインリソースの少なくとも一部の周波数ドメインリソースを含み、しかも第３の周波数ドメインリソースが、第１のＴＴＩ第１のターゲット時間ユニットにおいて第１の物理チャネルを伝送することをサポートする最大の使用可能な周波数ドメインリソースである。本発明の実施例リソースの利用率を向上させることができる。
2019512896.tif 000002
【特許請求の範囲】
【請求項１】
通信方法であって、
端末デバイスは、第１の周波数ドメインリソースを確定することと、
前記端末デバイスは第２の周波数ドメインリソースを確定し、前記第２の周波数ドメインリソースが、第２のターゲット時間ユニットにおいて第２の伝送時間間隔（ＴＴＩ）を使用して、第２の物理チャネルを伝送するために用いられると確定されることと、
前記端末デバイスは第３の周波数ドメインリソースを確定することと、
を含み、
前記第１の周波数ドメインリソースが、第１のＴＴＩを使用して第１のターゲット時間ユニットにおいて、第１の物理チャネルを伝送することをサポートするように予め設定される使用可能なリソースであり、ここで、前記第１のＴＴＩの時間長が前記第１のターゲット時間ユニットの時間長と等しく、
ここで、前記第２のＴＴＩが前記第１のＴＴＩ以上であり、しかも前記第２のターゲット時間ユニットが前記第１のターゲット時間ユニットと少なくとも部分的に重なり、
前記第３の周波数ドメインリソースが、前記第２の周波数ドメインリソースの少なくとも一部の周波数ドメインリソースを含み、しかも前記第３の周波数ドメインリソースが、前記第１のＴＴＩを使用して前記第１のターゲット時間ユニットにおいて、前記第１の物理チャネルを伝送することをサポートする最大の使用可能な周波数ドメインリソースである、
ことを特徴とする前記通信方法。
【請求項２】
前記第３の周波数ドメインリソースは、前記第１の周波数ドメインリソースの少なくとも一部の周波数ドメインリソースをさらに含む、
ことを特徴とする請求項１に記載の通信方法。
【請求項３】
前記端末デバイスは、前記第３の周波数ドメインリソースの中から、ターゲット周波数ドメインリソースを確定することと、
前記端末デバイスは、前記ターゲット周波数ドメインリソースを利用して、前記第１のＴＴＩを使用して、前記第１のターゲット時間ユニットにおいて、ネットワークデバイスに前記第１の物理チャネルを送信し、又は前記ネットワークデバイスから送信された前記第１の物理チャネルを受信することと、
をさらに含む、
ことを特徴とする請求項１又は２に記載の通信方法。
【請求項４】
前記端末デバイスは、前記第３の周波数ドメインリソースの中から、ターゲット周波数ドメインリソースを確定することは、
ネットワークデバイスより送信された第１のダウンリンク制御情報を受信することと、
前記ダウンリンク制御情報に基づいて、前記ターゲット周波数ドメインリソースを確定することと、
を含み、
前記第１のダウンリンク制御情報が、ターゲット周波数ドメインリソースの前記第３の周波数ドメインリソースにおける位置を示すために用いられる、
ことを特徴とする請求項３に記載の通信方法。
【請求項５】
前記第３の周波数ドメインリソース内のＰＲＢに対して改めて連続的に順序を付けることをさらに含み、
ここで、前記第１のダウンリンク制御情報が、前記ターゲット周波数ドメインリソースの前記第３の周波数ドメインリソースにおける位置を示すために、前記ターゲット周波数ドメインリソースに対応するＰＲＢの改めて順序を付けた番号を示すために用いられる、
ことを特徴とする請求項４に記載の通信方法。
【請求項６】
前記端末デバイスは、ダウンリンク制御チャネルＰＤＣＣＨチャネルにおいてダウンリンク制御情報を受信し、又は前記第１のターゲット時間ユニットにおいて、前記第１の周波数ドメインリソースにおいてダウンリンク制御情報を受信することをさらに含む、
ことを特徴とする請求項１乃至５のいずれか１項に記載の通信方法。
【請求項７】
前記端末デバイスが第３の周波数ドメインリソースを確定する前に、前記通信方法は、
ネットワークデバイスから送信された、前記第１のリソースを示すための第１の構成情報、
前記第２のリソースを示すための第２の構成情報、
前記第１のＴＴＩを使用して前記第１の物理チャネルを送信又は受信するように前記端末デバイスに指示するための第３の構成情報、及び
前記第２のＴＴＩを使用して前記第２の物理チャネルを送信又は受信するように前記端末デバイスに指示するための第４の構成情報、
のうちの少なくとも一つを受信することをさらに含む、
ことを特徴とする請求項１乃至６のいずれか１項に記載の通信方法。
【請求項８】
前記第１の物理チャネルが動的にスケジューリングするＰＤＳＣＨであり、前記第２の物理チャネルが半永続的にスケジューリングするＰＤＳＣＨであり、又は、
前記第１の物理チャネルが動的にスケジューリングするＰＵＳＣＨであり、前記第２の物理チャネルが半永続的にスケジューリングするＰＵＳＣＨであり、又は、
前記第１の物理チャネルが動的にスケジューリングするＰＵＳＣＨであり、前記第２の物理チャネルが動的にスケジューリングするＰＵＳＣＨであり、
前記第１のターゲット時間ユニットの時間長が前記第２のターゲット時間ユニットの時間長より短い、
ことを特徴とする請求項１乃至７のいずれか１項に記載の通信方法。
【請求項９】
前記第１の物理チャネルがＰＵＳＣＨである場合、前記第１のターゲット時間ユニットと前記第２のターゲット時間ユニットとの所属するサブフレームは、アップリンクサブフレームであり、及び／又は、
前記第１の物理チャネルがＰＤＳＣＨである場合、前記第１のターゲット時間ユニットと前記第２のターゲット時間ユニットとの所属するサブフレームは、ダウンリンクサブフレーム又はＴＤＤ特徴サブフレームである、
ことを特徴とする請求項８に記載の通信方法。
【請求項１０】
通信方法であって、
ネットワークデバイスは第１の周波数ドメインリソースを確定することと、
前記ネットワークデバイスは第２の周波数ドメインリソースを確定し、前記第２の周波数ドメインリソースが、第２のターゲット時間ユニットにおいて第２の伝送時間間隔（ＴＴＩ）を使用して、第２の物理チャネルを伝送するために用いられると確定されることと、
前記ネットワークデバイスは第３の周波数ドメインリソースを確定することと、
を含み、
前記第１の周波数ドメインリソースが、第１のＴＴＩを使用して第１のターゲット時間ユニットにおいて、第１の物理チャネルを伝送することをサポートするように予め設定される使用可能なリソースであり、ここで、前記第１のＴＴＩの時間長が前記第１のターゲット時間ユニットの時間長と等しく、
ここで、前記第２のＴＴＩが前記第１のＴＴＩ以上であり、しかも前記第２のターゲット時間ユニットが前記第１のターゲット時間ユニットと少なくとも部分的に重なり、
前記第３の周波数ドメインリソースが、前記第２の周波数ドメインリソースの少なくとも一部の周波数ドメインリソースを含み、しかも前記第３の周波数ドメインリソースが、前記第１のＴＴＩを使用して前記第１のターゲット時間ユニットにおいて、前記第１の物理チャネルを伝送することをサポートする最大の使用可能な周波数ドメインリソースである、
ことを特徴とする前記通信方法。
【請求項１１】
前記第３の周波数ドメインリソースは、前記第１の周波数ドメインリソースの少なくとも一部の周波数ドメインリソースをさらに含む、
ことを特徴とする請求項１０に記載の通信方法。
【請求項１２】
前記通信方法は、
前記ネットワークデバイスは、前記第３の周波数ドメインリソースの中から、ターゲット周波数ドメインリソースを確定することと、
前記ネットワークデバイスは、前記ターゲット周波数ドメインリソースを利用して、前記第１のＴＴＩを使用して、前記第１のターゲット時間ユニットにおいて、端末デバイスに前記第１の物理チャネルを送信し、又は端末デバイスから送信された前記第１の物理チャネルを受信することと、
をさらに含む、
ことを特徴とする請求項１０又は１１に記載の通信方法。
【請求項１３】
前記ネットワークデバイスは、端末デバイスに第１のダウンリンク制御情報を送信することをさらに含み、
前記端末デバイスが前記第１のダウンリンク制御情報に基づいて、ターゲット周波数ドメインリソースを確定することができるように、前記第１のダウンリンク制御情報が、前記ターゲット周波数ドメインリソースの前記第３の周波数ドメインリソースにおける位置を示すために用いられる、
ことを特徴とする請求項１２に記載の通信方法。
【請求項１４】
前記第３の周波数ドメインリソース内のＰＲＢに対して改めて連続的に順序を付けることをさらに含み、
ここで、前記第１のダウンリンク制御情報が、前記ターゲット周波数ドメインリソースの前記第３の周波数ドメインリソースにおける位置を示すために、前記ターゲット周波数ドメインリソースに対応するＰＲＢの改めて順序を付けた番号を示すために用いられる、
ことを特徴とする請求項１３に記載の通信方法。
【請求項１５】
前記ネットワークデバイスは、ダウンリンク制御チャネルＰＤＣＣＨチャネルにおいてダウンリンク制御情報を送信し、又は前記第１のターゲット時間ユニットにおいて、前記第１の周波数ドメインリソースにおいてダウンリンク制御情報を送信することをさらに含む、
ことを特徴とする請求項１０乃至１４のいずれか１項に記載の通信方法。
【請求項１６】
端末デバイスに、
前記第１のリソースを示すための第１の構成情報、
前記第２のリソースを示すための第２の構成情報、
前記第１のＴＴＩを使用して前記第１の物理チャネルを送信又は受信するように前記端末デバイスに指示するための第３の構成情報、及び
前記第２のＴＴＩを使用して前記第２の物理チャネルを送信又は受信するように前記端末デバイスに指示するための第４の構成情報、
のうちの少なくとも一つを送信することをさらに含む、
ことを特徴とする請求項１０乃至１５のいずれか１項に記載の通信方法。
【請求項１７】
前記第１の物理チャネルが動的にスケジューリングするＰＤＳＣＨであり、前記第２の物理チャネルが半永続的にスケジューリングするＰＤＳＣＨであり、又は、
前記第１の物理チャネルが動的にスケジューリングするＰＵＳＣＨであり、前記第２の物理チャネルが半永続的にスケジューリングするＰＵＳＣＨであり、又は、
前記第１の物理チャネルが動的にスケジューリングするＰＵＳＣＨであり、前記第２の物理チャネルが動的にスケジューリングするＰＵＳＣＨであり、
前記第１のターゲット時間ユニットの時間長が前記第２のターゲット時間ユニットの時間長より短い、
ことを特徴とする請求項１０乃至１６のいずれか１項に記載の通信方法。
【請求項１８】
前記第１の物理チャネルがＰＵＳＣＨである場合、前記第１のターゲット時間ユニットと前記第２のターゲット時間ユニットとの所属するサブフレームは、アップリンクサブフレームであり、及び／又は、
前記第１の物理チャネルがＰＤＳＣＨである場合、前記第１のターゲット時間ユニットと前記第２のターゲット時間ユニットとの所属するサブフレームは、ダウンリンクサブフレーム又はＴＤＤ特徴サブフレームである、
ことを特徴とする請求項１７に記載の通信方法。
【請求項１９】
端末デバイスであって、
第１の周波数ドメインリソースを確定するように構成される第１の確定ユニットと、
第２の周波数ドメインリソースを確定し、前記第２の周波数ドメインリソースが、第２のターゲット時間ユニットにおいて第２の伝送時間間隔（ＴＴＩ）を使用して、第２の物理チャネルを伝送するために用いられると確定されるように構成される第２の確定ユニットと、
第３の周波数ドメインリソースを確定するように構成される第３の確定ユニットと、
を含み、
前記第１の周波数ドメインリソースが、第１のＴＴＩを使用して第１のターゲット時間ユニットにおいて、第１の物理チャネルを伝送することをサポートするように予め設定される使用可能なリソースであり、ここで、前記第１のＴＴＩの時間長が前記第１のターゲット時間ユニットの時間長と等しく、
前記第２のＴＴＩが前記第１のＴＴＩ以上であり、しかも前記第２のターゲット時間ユニットが前記第１のターゲット時間ユニットと少なくとも部分的に重なり、
前記第３の周波数ドメインリソースが、前記第２の周波数ドメインリソースの少なくとも一部の周波数ドメインリソースを含み、しかも前記第３の周波数ドメインリソースが、前記第１のＴＴＩを使用して前記第１のターゲット時間ユニットにおいて、前記第１の物理チャネルを伝送することをサポートする最大の使用可能な周波数ドメインリソースである、
ことを特徴とする前記端末デバイス。
【請求項２０】
前記第３の周波数ドメインリソースは、前記第１の周波数ドメインリソースの少なくとも一部の周波数ドメインリソースをさらに含む、
ことを特徴とする請求項１９に記載の端末デバイス。
【請求項２１】
前記第３の周波数ドメインリソースから、ターゲット周波数ドメインリソースを確定するように構成される第４の確定ユニットと、
前記ターゲット周波数ドメインリソースを利用し、前記第１のＴＴＩを使用して、前記第１のターゲット時間ユニットにおいて、ネットワークデバイスに前記第１の物理チャネルを送信し、又は前記ネットワークデバイスから送信された前記第１の物理チャネルを受信するように構成される第１の送受信ユニットと、
をさらに含む、
ことを特徴とする請求項１９又は２０に記載の端末デバイス。
【請求項２２】
ネットワークデバイスより送信された第１のダウンリンク制御情報を受信するように構成される第２の送受信ユニットと、
前記ダウンリンク制御情報に基づいて、前記ターゲット周波数ドメインリソースを確定するように構成される前記第４の確定ユニットと、
をさらに含み、
前記第１のダウンリンク制御情報が、ターゲット周波数ドメインリソースの前記第３の周波数ドメインリソースにおける位置を示すために用いられる、
ことを特徴とする請求項２１に記載の端末デバイス。
【請求項２３】
前記第３の周波数ドメインリソース内のＰＲＢに対して改めて連続的に順序を付けるように構成される順序付けユニット、をさらに含み、
ここで、前記第１のダウンリンク制御情報が、前記ターゲット周波数ドメインリソースの前記第３の周波数ドメインリソースにおける位置を示すために、前記ターゲット周波数ドメインリソースに対応するＰＲＢの改めて順序を付けた番号を示すために用いられる、
ことを特徴とする請求項２２に記載の端末デバイス。
【請求項２４】
ダウンリンク制御チャネルＰＤＣＣＨチャネルにおいてダウンリンク制御情報を受信し、又は前記第１のターゲット時間ユニットにおいて、前記第１の周波数ドメインリソースにおいてダウンリンク制御情報を受信するように構成される第２の送受信ユニット、をさらに含む、
ことを特徴とする請求項１９乃至２３のいずれか１項に記載の端末デバイス。
【請求項２５】
ネットワークデバイスから送信された、
前記第１のリソースを示すための第１の構成情報、
前記第２のリソースを示すための第２の構成情報、
前記第１のＴＴＩを使用して前記第１の物理チャネルを送信又は受信するように前記端末デバイスに指示するための第３の構成情報、及び
前記第２のＴＴＩを使用して前記第２の物理チャネルを送信又は受信するように、前記端末デバイスに指示するための第４の構成情報、
のうちの少なくとも一つを受信するように構成される第３の送受信ユニット、をさらに含む、
ことを特徴とする請求項１９乃至２４のいずれか１項に記載の端末デバイス。
【請求項２６】
前記第１の物理チャネルが動的にスケジューリングするＰＤＳＣＨであり、前記第２の物理チャネルが半永続的にスケジューリングするＰＤＳＣＨであり、又は、
前記第１の物理チャネルが動的にスケジューリングするＰＵＳＣＨであり、前記第２の物理チャネルが半永続的にスケジューリングするＰＵＳＣＨであり、又は、
前記第１の物理チャネルが動的にスケジューリングするＰＵＳＣＨであり、前記第２の物理チャネルが動的にスケジューリングするＰＵＳＣＨであり、
前記第１のターゲット時間ユニットの時間長が前記第２のターゲット時間ユニットの時間長より短い、
ことを特徴とする請求項１９乃至２５のいずれか１項に記載の端末デバイス。
【請求項２７】
前記第１の物理チャネルがＰＵＳＣＨである場合、前記第１のターゲット時間ユニットと前記第２のターゲット時間ユニットとの所属するサブフレームは、アップリンクサブフレームであり、及び／又は、
前記第１の物理チャネルがＰＤＳＣＨである場合、前記第１のターゲット時間ユニットと前記第２のターゲット時間ユニットとの所属するサブフレームは、ダウンリンクサブフレーム又はＴＤＤ特徴サブフレームである、
ことを特徴とする請求項２６に記載の端末デバイス。
【請求項２８】
ネットワークデバイスであって、
第１の周波数ドメインリソースを確定するように構成される第１の確定ユニットと、
第２の周波数ドメインリソースを確定し、前記第２の周波数ドメインリソースが、第２のターゲット時間ユニットにおいて第２の伝送時間間隔（ＴＴＩ）を使用して、第２の物理チャネルを伝送するために用いられると確定されるように構成される第２の確定ユニットと、
第３の周波数ドメインリソースを確定するように構成される第３の確定ユニットと、
を含み、
前記第１の周波数ドメインリソースが、第１のＴＴＩを使用して第１のターゲット時間ユニットにおいて、第１の物理チャネルを伝送することをサポートするように予め設定される使用可能なリソースであり、ここで、前記第１のＴＴＩの時間長が前記第１のターゲット時間ユニットの時間長と等しく、
前記第２のＴＴＩが前記第１のＴＴＩ以上であり、しかも前記第２のターゲット時間ユニットが前記第１のターゲット時間ユニットと少なくとも部分的に重なり、
前記第３の周波数ドメインリソースが、前記第２の周波数ドメインリソースの少なくとも一部の周波数ドメインリソースを含み、しかも前記第３の周波数ドメインリソースが、前記第１のＴＴＩを使用して前記第１のターゲット時間ユニットにおいて、前記第１の物理チャネルを伝送することをサポートする最大の使用可能な周波数ドメインリソースである、
ことを特徴とする前記ネットワークデバイス。
【請求項２９】
前記第３の周波数ドメインリソースは、前記第１の周波数ドメインリソースの少なくとも一部の周波数ドメインリソースをさらに含む、
ことを特徴とする請求項２８に記載のネットワークデバイス。
【請求項３０】
前記第３の周波数ドメインリソースから、ターゲット周波数ドメインリソースを確定するように構成される第４の確定ユニットと、
前記ターゲット周波数ドメインリソースを利用し、前記第１のＴＴＩを使用して、前記第１のターゲット時間ユニットにおいて、端末デバイスに前記第１の物理チャネルを送信し、又は端末デバイスから送信された前記第１の物理チャネルを受信するように構成される第１の送受信ユニットと、
をさらに含む、
ことを特徴とする請求項２８又は２９に記載のネットワークデバイス。
【請求項３１】
端末デバイスに第１のダウンリンク制御情報を送信するように構成される第２の送受信ユニット、をさらに含み、
前記端末デバイスが前記第１のダウンリンク制御情報に基づいて、前記ターゲット周波数ドメインリソースを確定することができるように、前記第１のダウンリンク制御情報が、ターゲット周波数ドメインリソースの前記第３の周波数ドメインリソースにおける位置を示すために用いられる、
ことを特徴とする請求項３０に記載のネットワークデバイス。
【請求項３２】
前記第３の周波数ドメインリソース内のＰＲＢに対して改めて連続的に順序を付けるように構成される順序付けユニット、をさらに含み、
ここで、前記第１のダウンリンク制御情報が、前記ターゲット周波数ドメインリソースの前記第３の周波数ドメインリソースにおける位置を示すために、前記ターゲット周波数ドメインリソースに対応するＰＲＢの改めて順序を付けた番号を示すために用いられる、
ことを特徴とする請求項３１に記載のネットワークデバイス。
【請求項３３】
ダウンリンク制御チャネルＰＤＣＣＨチャネルにおいてダウンリンク制御情報を送信し、又は前記第１のターゲット時間ユニットにおいて、前記第１の周波数ドメインリソースにおいてダウンリンク制御情報を送信するように構成される第２の送受信ユニットと、をさらに含む、
ことを特徴とする請求項２８乃至３２のいずれか１項に記載のネットワークデバイス。
【請求項３４】
端末デバイスに、
前記第１のリソースを示すための第１の構成情報、
前記第２のリソースを示すための第２の構成情報、
前記第１のＴＴＩを使用して前記第１の物理チャネルを送信又は受信するように前記端末デバイスに指示するための第３の構成情報、及び
前記第２のＴＴＩを使用して前記第２の物理チャネルを送信又は受信するように前記端末デバイスに指示するための第４の構成情報、
のうちの少なくとも一つを送信するように構成される第３の送受信ユニット、をさらに含む、
ことを特徴とする請求項２８乃至３３のいずれか１項に記載のネットワークデバイス。
【請求項３５】
前記第１の物理チャネルが動的にスケジューリングするＰＤＳＣＨであり、前記第２の物理チャネルが半永続的にスケジューリングするＰＤＳＣＨであり、又は、
前記第１の物理チャネルが動的にスケジューリングするＰＵＳＣＨであり、前記第２の物理チャネルが半永続的にスケジューリングするＰＵＳＣＨであり、又は、
前記第１の物理チャネルが動的にスケジューリングするＰＵＳＣＨであり、前記第２の物理チャネルが動的にスケジューリングするＰＵＳＣＨであり、
前記第１のターゲット時間ユニットの時間長が前記第２のターゲット時間ユニットの時間長より短い、
ことを特徴とする請求項２８乃至３４のいずれか１項に記載のネットワークデバイス。
【請求項３６】
前記第１の物理チャネルがＰＵＳＣＨである場合、前記第１のターゲット時間ユニットと前記第２のターゲット時間ユニットとの所属するサブフレームは、アップリンクサブフレームであり、及び／又は、
前記第１の物理チャネルがＰＤＳＣＨである場合、前記第１のターゲット時間ユニットと前記第２のターゲット時間ユニットとの所属するサブフレームは、ダウンリンクサブフレーム又はＴＤＤ特徴サブフレームである、
ことを特徴とする請求項３５に記載のネットワークデバイス。
【発明の詳細な説明】
【技術分野】
【０００１】
本発明は通信分野に関し、特に通信方法、端末デバイス及びネットワークデバイスに関する。
【背景技術】
【０００２】
通信遅延は、主に伝送時間間隔（ＴＴＩ：Ｔｒａｎｓｍｉｓｓｉｏｎ  Ｔｉｍｅ  Ｉｎｔｅｒｖａｌ）の長さに関係するため、伝送遅延を低減するためのキーとなる技術はＴＴＩを短縮することである。現在、より短いＴＴＩにおけるデータ伝送に関する研究しようと確定している。しかし、短いＴＴＩでの伝送をサポートする搬送波において、現行のＬＴＥシステムへの互換性を保証すると共に、現行の長いＴＴＩにも対応できるようにする必要がある。如何にシステムにおいてリソースを合理的に利用するかは、考慮する必要がある課題である。
【発明の概要】
【０００３】
本発明の実施例は、通信方法、端末デバイス、及びネットワークデバイスを提供し、リソースの利用率を向上させることができる。
【０００４】
第１の態様において、通信方法を提供し、
端末デバイスは、第１の周波数ドメインリソースを確定することと、
前記端末デバイスは、第２の周波数ドメインリソースを確定し、前記第２の周波数ドメインリソースが、第２のターゲット時間ユニットにおいて第２のＴＴＩを使用して、第２の物理チャネルを伝送するために用いられると確定されることと、
前記端末デバイスは第３の周波数ドメインリソースを確定することと、
を含み、
前記第１の周波数ドメインリソースが、第１の伝送時間間隔ＴＴＩを使用して第１のターゲット時間ユニットにおいて、第１の物理チャネルを伝送することをサポートするように予め設定される使用可能なリソースであり、ここで、前記第１のＴＴＩの時間長が前記第１のターゲット時間ユニットの時間長と等しく、
ここで、前記第２のＴＴＩが前記第１のＴＴＩ以上であり、しかも前記第２のターゲット時間ユニットが前記第１のターゲット時間ユニットと少なくとも部分的に重なり、
前記第３の周波数ドメインリソースが、前記第２の周波数ドメインリソースの少なくとも一部の周波数ドメインリソースを含み、しかも前記第３の周波数ドメインリソースが、前記第１のＴＴＩを使用して前記第１のターゲット時間ユニットにおいて、前記第１の物理チャネルを伝送することをサポートする最大の使用可能な周波数ドメインリソースである。
【０００５】
第１の態様を結合し、第１の態様の第１の可能な実施形態において、前記第３の周波数ドメインリソースは、前記第１の周波数ドメインリソースの少なくとも一部の周波数ドメインリソースをさらに含む。
【０００６】
本発明の実施例において、端末デバイスは、第１の周波数ドメインリソースと第２の周波数ドメインリソースとの合計を、第３の周波数ドメインリソースと確定することができる。当然、本発明の実施例において、第１の周波数ドメインリソースの一部の周波数ドメインリソースと、第２の周波数ドメインリソースの一部の周波数ドメインリソースとの合計を、第３の周波数ドメインリソースと確定しても良く、又は、第２の周波数ドメインリソースの一部の周波数ドメインリソースを、第３の周波数ドメインリソースと確定しても良い。
【０００７】
例えば、仮に第１のターゲット時間ユニット内の第１の物理チャネルの伝送用の最大のＰＲＢの数をＮとし、ここでＮの値が、制御シグナリング（ＤＣＩ：Ｄｏｗｎｌｉｎｋ  Ｃｏｎｔｒｏｌ  Ｉｎｆｏｒｍａｔｉｏｎ）内の物理リソースブロック（ＰＲＢ：Ｐｈｙｓｉｃａｌ  Ｒｅｓｏｕｒｃｅ  Ｂｌｏｃｋ）位置を指示する情報フィールドのビット数による制限を受ける可能性があり、例えば、ＤＣＩ内で９ビットの情報を固定的に使用してＰＲＢの位置を指示する場合、ＰＲＢの最大数は２５であり、又は基地局の設定又はプロトコルの規定によってＮの値を２５とする。
【０００８】
第２の周波数ドメインリソースに含まれるＰＲＢの数がＭであり、且つＭがＮ以下である場合、第２の周波数ドメインリソース内のＭ個のＰＲＢと第１の周波数ドメインリソース内のＮ−Ｍ個のＰＲＢとから、第３の周波数ドメインリソースを構成すると確定する。ここで第１の周波数ドメインリソース内のＮ−Ｍ個のＰＲＢが、ＰＲＢの番号順序における前のＮ−Ｍ個のＰＲＢ、又は最後のＮ−Ｍ個のＰＲＢのような定められたルールに基づいて選定することができる。
【０００９】
第２の周波数ドメインリソースに含まれるＰＲＢの数がＭであり、且つＭがＮより大きい場合、第２の周波数ドメインリソース内の前のＮ個、又は最後のＮ個のＰＲＢから、第３の周波数ドメインリソースを構成すると確定する。
【００１０】
そのため、本発明の実施例において、第２の物理チャネルに割り当てられた少なくとも一部の周波数ドメインリソースを、第１の物理チャネルを伝送するための使用可能なリソースと確定し、リソースの無駄を避けることができる。
【００１１】
第１の態様又はそれの第１の可能な実施形態を結合し、第１の態様の第２の可能な実施形態において、前記方法は、
前記端末デバイスは、前記第３の周波数ドメインリソースの中から、ターゲット周波数ドメインリソースを確定することと、
前記端末デバイスは、前記ターゲット周波数ドメインリソースを利用して、前記第１のＴＴＩを使用して、前記第１のターゲット時間ユニットにおいて、ネットワークデバイスに前記第１の物理チャネルを送信し、又は前記ネットワークデバイスから送信された前記第１の物理チャネルを受信することと、
を含む。
【００１２】
第１の態様の第２の可能な実施形態を結合し、第１の態様の第３の可能な実施形態において、前記端末デバイスが、前記第３の周波数ドメインリソースの中から、ターゲット周波数ドメインリソースを確定することは、
ネットワークデバイスより送信された第１のダウンリンク制御情報を受信することと、
前記ダウンリンク制御情報に基づいて、前記ターゲット周波数ドメインリソースを確定することと、
を含み、前記第１のダウンリンク制御情報が、ターゲット周波数ドメインリソースの前記第３の周波数ドメインリソースにおける位置を示すために用いられる。
【００１３】
第１の態様の第３の可能な実施形態を結合し、第１の態様の第４の可能な実施形態において、前記方法は、
前記第３の周波数ドメインリソース内のＰＲＢに対して改めて連続的に順序を付けること、
をさらに含み、ここで、前記第１のダウンリンク制御情報が、前記ターゲット周波数ドメインリソースの前記第３の周波数ドメインリソースにおける位置を示すために、前記ターゲット周波数ドメインリソースに対応するＰＲＢの改めて順序を付けた番号を示すために用いられる。
【００１４】
本発明の実施例において、第３のリソース内の物理リソースブロックを改めて連続的に番号を振り直すことによって、制御シグナリングのオーバーヘッドを低減することができる。
【００１５】
第１の態様又はそれの上記のいずれか一つの可能な実施形態を結合し、第１の態様の第５の可能な実施形態において、前記方法は、
前記端末デバイスは、ダウンリンク制御チャネルＰＤＣＣＨチャネルにおいてダウンリンク制御情報を受信すること、又は前記第１のターゲット時間ユニットにおいて、前記第１の周波数ドメインリソースにおいてダウンリンク制御情報を受信することを含む。
【００１６】
第１の態様又はそれの上記のいずれか一つの可能な実施形態を結合し、第１の態様の第６の可能な実施形態において、前記端末デバイスが第３の周波数ドメインリソースを確定する前に、前記方法は、
ネットワークデバイスから送信された、前記第１のリソースを示すための第１の構成情報、前記第２のリソースを示すための第２の構成情報、前記第１のＴＴＩを使用して前記第１の物理チャネルを送信又は受信するように、前記端末デバイスに指示するための第３の構成情報、及び前記第２のＴＴＩを使用して前記第２の物理チャネルを送信又は受信するように、前記端末デバイスに指示するための第４の構成情報のうちの少なくとも一つを受信することをさらに含む。
【００１７】
第１の態様又はそれの上記のいずれか一つの可能な実施形態を結合し、第１の態様の第７の可能な実施形態において、前記第１の物理チャネルが動的にスケジューリングするＰＤＳＣＨであり、前記第２の物理チャネルが半永続的にスケジューリングするＰＤＳＣＨであり、又は、前記第１の物理チャネルが動的にスケジューリングするＰＵＳＣＨであり、前記第２の物理チャネルが半永続的にスケジューリングするＰＵＳＣＨであり、又は、前記第１の物理チャネルが動的にスケジューリングするＰＵＳＣＨであり、前記第２の物理チャネルが動的にスケジューリングするＰＵＳＣＨであり、前記第１のターゲット時間ユニットの時間長が前記第２のターゲット時間ユニットの時間長より短い。
【００１８】
第１の態様の第７の可能な実施形態を結合し、第１の態様の第８の可能な実施形態において、前記第１の物理チャネルがＰＵＳＣＨである場合、前記第１のターゲット時間ユニットと前記第２のターゲット時間ユニットとの所属するサブフレームは、アップリンクサブフレームであり、及び／又は、前記第１の物理チャネルがＰＤＳＣＨである場合、前記第１のターゲット時間ユニットと前記第２のターゲット時間ユニットとの所属するサブフレームは、ダウンリンクサブフレーム又はＴＤＤ特徴サブフレームである。
【００１９】
第２の態様において、通信方法を提供し、
ネットワークデバイスは第１の周波数ドメインリソースを確定することと、
前記ネットワークデバイスは第２の周波数ドメインリソースを確定し、前記第２の周波数ドメインリソースが、第２のターゲット時間ユニットにおいて第２のＴＴＩを使用して、第２の物理チャネルを伝送するために用いられると確定されることと、
前記ネットワークデバイスは第３の周波数ドメインリソースを確定することと、
を含み、
前記第１の周波数ドメインリソースが、第１の伝送時間間隔ＴＴＩを使用して第１のターゲット時間ユニットにおいて、第１の物理チャネルを伝送することをサポートするように予め設定される使用可能なリソースであり、ここで、前記第１のＴＴＩの時間長が前記第１のターゲット時間ユニットの時間長と等しく、
ここで、前記第２のＴＴＩが前記第１のＴＴＩ以上であり、しかも前記第２のターゲット時間ユニットが前記第１のターゲット時間ユニットと少なくとも部分的に重なり、
前記第３の周波数ドメインリソースが、前記第２の周波数ドメインリソースの少なくとも一部の周波数ドメインリソースを含み、しかも前記第３の周波数ドメインリソースが、前記第１のＴＴＩを使用して前記第１のターゲット時間ユニットにおいて、前記第１の物理チャネルを伝送することをサポートする最大の使用可能な周波数ドメインリソースである。
【００２０】
第２の態様を結合し、第２の態様の第１の可能な実施形態において、前記第３の周波数ドメインリソースは、前記第１の周波数ドメインリソースの少なくとも一部の周波数ドメインリソースをさらに含む。
【００２１】
第２の態様又はそれの第１の可能な実施形態を結合し、第２の態様の第２の可能な実施形態において、前記方法は、
前記ネットワークデバイスは、前記第３の周波数ドメインリソースの中から、ターゲット周波数ドメインリソースを確定することと、
前記ネットワークデバイスは、前記ターゲット周波数ドメインリソースを利用して、前記第１のＴＴＩを使用して、前記第１のターゲット時間ユニットにおいて、端末デバイスに前記第１の物理チャネルを送信し、又は端末デバイスから送信された前記第１の物理チャネルを受信することと、
をさらに含む。
【００２２】
第２の態様の第２の可能な実施形態を結合し、第２の態様の第３の可能な実施形態において、前記方法は、
前記ネットワークデバイスは、端末デバイスに第１のダウンリンク制御情報を送信すること、
をさらに含み、前記端末デバイスが前記第１のダウンリンク制御情報に基づいて、前記ターゲット周波数ドメインリソースを確定することができるように、前記第１のダウンリンク制御情報が、ターゲット周波数ドメインリソースの前記第３の周波数ドメインリソースにおける位置を示すために用いられる。
【００２３】
第２の態様の第３の可能な実施形態を結合し、第２の態様の第４の可能な実施形態において、前記方法は、
前記第３の周波数ドメインリソース内のＰＲＢに対して改めて連続的に順序を付けることをさらに含み、ここで、前記第１のダウンリンク制御情報が、前記ターゲット周波数ドメインリソースの前記第３の周波数ドメインリソースにおける位置を示すために、前記ターゲット周波数ドメインリソースに対応するＰＲＢの改めて順序を付けた番号を示すために用いられる。
【００２４】
第２の態様又はそれの上記のいずれか一つの可能な実施形態を結合し、第２の態様の第５の可能な実施形態において、前記方法は、
前記ネットワークデバイスは、ダウンリンク制御チャネルＰＤＣＣＨチャネルにおいてダウンリンク制御情報を送信し、又は前記第１のターゲット時間ユニットにおいて、前記第１の周波数ドメインリソースにおいてダウンリンク制御情報を送信すること、
をさらに含む。
【００２５】
第２の態様又はそれの上記のいずれか一つの可能な実施形態を結合し、第２の態様の第６の可能な実施形態において、前記方法は、
端末デバイスに、前記第１のリソースを示すための第１の構成情報、前記第２のリソースを示すための第２の構成情報、前記第１のＴＴＩを使用して前記第１の物理チャネルを送信又は受信するように、前記端末デバイスに指示するための第３の構成情報、及び前記第２のＴＴＩを使用して前記第２の物理チャネルを送信又は受信するように、前記端末デバイスに指示するための第４の構成情報のうちの少なくとも一つを送信すること、
をさらに含む。
【００２６】
第２の態様又はそれの上記のいずれか一つの可能な実施形態を結合し、第２の態様の第７の可能な実施形態において、前記第１の物理チャネルが動的にスケジューリングするＰＤＳＣＨであり、前記第２の物理チャネルが半永続的にスケジューリングするＰＤＳＣＨであり、又は、前記第１の物理チャネルが動的にスケジューリングするＰＵＳＣＨであり、前記第２の物理チャネルが半永続的にスケジューリングするＰＵＳＣＨであり、又は、前記第１の物理チャネルが動的にスケジューリングするＰＵＳＣＨであり、前記第２の物理チャネルが動的にスケジューリングするＰＵＳＣＨであり、前記第１のターゲット時間ユニットの時間長が前記第２のターゲット時間ユニットの時間長より短い。
【００２７】
第２の態様の第７の可能な実施形態を結合し、第２の態様の第８の可能な実施形態において、前記第１の物理チャネルがＰＵＳＣＨである場合、前記第１のターゲット時間ユニットと前記第２のターゲット時間ユニットとの所属するサブフレームは、アップリンクサブフレームであり、及び／又は、前記第１の物理チャネルがＰＤＳＣＨである場合、前記第１のターゲット時間ユニットと前記第２のターゲット時間ユニットとの所属するサブフレームは、ダウンリンクサブフレーム又はＴＤＤ特徴サブフレームである。
【００２８】
第３の態様において、端末を提供し、上記の第１の態様又は第１の態様の任意選択可能な実施形態の方法を実行するように構成される。具体的に、当該通信データは、上記の第１の態様又は第１の態様の任意可能な実施形態の方法を実行するためのモジュールユニットを含む。
【００２９】
第４の態様において、ネットワークデバイスを提供し、上記の第２の態様又は第２の態様の任意選択可能な実施形態の方法を実行するように構成される。具体的に、当該通信データは、上記の第２の態様又は第２の態様の任意可能な実施形態の方法を実行するためのモジュールユニットを含む。
【００３０】
第５の態様において、端末デバイスを提供し、記憶装置とプロセッサとを含み、当該記憶装置は命令を記憶するように構成され、当該プロセッサは、当該記憶装置に記憶される命令を実行するように構成され、当該プロセッサが当該記憶装置に記憶される命令を実行する場合、当該実行は、当該プロセッサに、第１の態様又は第１の態様の任意選択可能な実施形態の方法を実行させる。
【００３１】
第６の態様において、ネットワークデバイスを提供し、記憶装置とプロセッサとを含み、当該記憶装置は命令を記憶するように構成され、当該プロセッサは、当該記憶装置に記憶される命令を実行するように構成され、当該プロセッサが当該記憶装置に記憶される命令を実行する場合、当該実行は、当該プロセッサに、第２の態様又は第２の態様の任意選択可能な実施形態の方法を実行させる。
【００３２】
第７の態様において、コンピュータ記憶媒体を提供し、前記コンピュータ記憶媒体にプログラムコードが記憶されており、前記プログラムコードは、上記の第１の態様又は第１の態様の任意選択可能な実施形態の方法を実行するように指示するために用いられる。
【００３３】
第８の態様において、コンピュータ記憶媒体を提供し、前記コンピュータ記憶媒体にプログラムコードが記憶されており、前記プログラムコードは、上記の第２の態様又は第２の態様の任意選択可能な実施形態の方法を実行するように指示するために用いられる。
【図面の簡単な説明】
【００３４】
【図１】本発明の実施例による応用場面の図である。
【図２】本発明の実施例による通信方法の概略的なフローチャートである。
【図３】本発明の実施例によるリソース割り当ての概略図である。
【図４】本発明の実施例によるリソース割り当ての概略図である。
【図５】本発明の実施例によるリソース割り当ての概略図である。
【図６】本発明の実施例によるリソース割り当ての概略図である。
【図７】本発明の実施例によるリソース割り当て、及び物理リソースブロックの番号振り直しの概略図である。
【図８】本発明の実施例によるリソース割り当ての概略図である。
【図９】本発明の実施例による通信方法の概略的なフローチャートである。
【図１０】本発明の実施例による通信方法の概略的なフローチャートである。
【図１１】本発明の実施例による通信方法の概略的なフローチャートである。
【図１２】本発明の実施例による端末デバイスの概略的なブロック図である。
【図１３】本発明の実施例によるネットワークデバイスの概略的なブロック図である。
【図１４】本発明の実施例による端末デバイスの概略的なブロック図である。
【図１５】本発明の実施例によるネットワークデバイスの概略的なブロック図である。
【発明を実施するための形態】
【００３５】
より明確に本発明の実施例を説明するために、上記において、実施例または先行技術の説明で必要となる図面を簡単に説明し、明らかに、上記に記載されている図面は、単なる本発明の幾つかの実施例に過ぎず、当業者にとって、創造的な労力を払わない前提で、これらの図面に基づいてその他の図面が得ることができる。
【００３６】
下記において、本発明の実施例の図面を結合し、本発明の実施例の技術案を明確的、全面的に説明し、当然、説明されている実施例は、本発明の一部の実施例に過ぎず、全ての実施例ではない。本発明の実施例に基づいて、当業者は、創造的な労力を払わずに得られた全てのその他の実施例は、本発明の範囲内である。
【００３７】
本明細書に使用される用語「コンポーネント」、「モジュール」、「システム」などはコンピュータに関連するエンティティ、ハードウェア、ファームウェア、ハードウェアとソフトウェアの組み合わせ、ソフトウェア、又は実行中のソフトウェアを表すことに用いられる。例えば、コンポーネントは、プロセッサで実行されているプロセス、プロセッサ、オブジェクト、実行可能ファイル、実行スレッド、プログラム及び/又はコンピュータであってもよいが、これらに限定されない。図面に示すように、コンピューティングデバイスで動作しているアプリケーション及びコンピューティングデバイスは全てコンポーネントであってもよい。一つ又は複数のコンポーネントはプロセス及び／又は実行スレッドに常駐することができ、コンポーネントは一つのコンピュータに置かれてもよく及び／又は２つ以上のコンピュータの間に配布してもよい。その他、これらのコンポーネントは、様々なデータ構造が記憶されている様々なコンピュータ可読媒体から実行されてもよい。コンポーネントは例えば一つ又は複数のデータグループ（例えばローカルシステム、分散型システム及び／又はネットワーク間の別のコンポーネントとインタラクションを行う二つのコンポーネントからのデータ、例えば信号によって他のシステムとインタラクションを行うインターネット）を含む信号に基づいて、ローカル及び／又は遠隔プロセスにより通信することができる。
【００３８】
本発明は端末デバイスとネットワークデバイスとの各実施例を結合する。端末デバイスは、アクセス端末、ユーザユニット、ユーザサイト、移動サイト、移動局、遠隔サイト、遠隔端末、移動装置、ユーザ端末、端末、無線通信装置、ユーザエージェント又はユーザ装置とも称される。アクセス端末はセルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）サイト、パーソナルデジタル処理（ＰＤＡ：Ｐｅｒｓｏｎａｌ  Ｄｉｇｉｔａｌ  Ａｓｓｉｓｔａｎｔ）、無線通信機能を備えるハンドヘルドデバイス、コンピューティングデバイス又は無線モデムに接続された他の処理デバイス、車載デバイス、ウェアラブルデバイス、将来の５Ｇネットワークにおける端末デバイスであっても良く。ネットワークデバイスは、移動デバイスと通信するように構成されることができ、ネットワークデバイスは、グローバル移動通信（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）、又は符号分割多元接続（ＣＤＭＡ：Ｃｏｄｅ  Ｄｉｖｉｓｉｏｎ  Ｍｕｌｔｉｐｌｅ  Ａｃｃｅｓｓ）における基地局（ＢＴＳ：Ｂａｓｅ  Ｔｒａｎｓｃｅｉｖｅｒ  Ｓｔａｔｉｏｎ）であっても良く、ブロードバンド符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）における基地局（ＮＢ：ＮｏｄｅＢ）であっても良く、ロング・ターム・エボリューション（ＬＴＥ：Ｌｏｎｇ  Ｔｅｒｍ  Ｅｖｏｌｕｔｉｏｎ）における進化型基地局（ｅＮＢ又はｅＮｏｄｅＢ：Ｅｖｏｌｕｔｉｏｎａｌ  Ｎｏｄｅ  Ｂ）であっても良く、又は中継局、アクセスポイント、車載デバイス、ウェアラブルデバイス及び将来の５Ｇネットワークにおけるネットワークデバイスであっても良い。
【００３９】
また、本発明の各々の態様又は特徴は、方法、装置又は標準化プログラミング、及び／又は、工程技術の製品として実現されても良い。本発明に使用されている用語「製品」は、任意のコンピュータでの読み取り可能な機器、キャリア、又は媒体からアクセスするコンピュータプログラムを含む。例えば、コンピュータで読み取り可能な媒体は、磁気記憶装置（例えば、ハードディスク、フロッピー又は磁気テープなど）、光ディスク（例えば、圧縮ディスク（ＣＤ：Ｃｏｍｐａｃｔ  Ｄｉｓｋ）、デジタル汎用ディスク（ＤＶＤ：Ｄｉｇｉｔａｌ  Ｖｅｒｓａｔｉｌｅ  Ｄｉｓｋ）など）、スマートカードとフラッシュメモリー（例えば、消去可能、プログラム可能な読み取り専用な記憶装置（ＥＰＲＯＭ：Ｅｒａｓａｂｌｅ  Ｐｒｏｇｒａｍｍａｂｌｅ  Ｒｅａｄ−Ｏｎｌｙ  Ｍｅｍｏｒｙ）、カード、メモリ・スティック又はキー・ドライブなど）を含むが、それらに限らない。また、本文に記述する各種の記憶媒体は、情報を記憶する一つの又は複数のデバイス、及び／又は、その他の機器での読み取り可能な媒体に代表的に用いられる。用語「機器での読み取り可能な媒体」は、無線チャネルと、命令、及び／又は、データを記憶、包含、及び／又は、ベアラする各種のその他の媒体とを含むが、それらに限らない。
【００４０】
図１は、本発明の実施例に使用される通信システムの概要図である。図１に示すように、当該通信システム１００は、ネットワークデバイス１０２を含み、ネットワークデバイス１０２は、複数のアンテナセットを含む。各アンテナセットは、一つ又は複数のアンテナを含むことができ、例えば、一つのアンテナセットはアンテナ１０４と１０６とを含むことができ、別の一つのアンテナセットはアンテナ１０８と１１０とを含むことができ、付加セットはアンテナ１１２と１１４とを含むことができる。図１において、各アンテナセットに２つのアンテナを示しているが、各セットは、より多く又は少ないアンテナを使用することができる。ネットワークデバイス１０２は、送信機チェーンと受信機チェーンを付加的に含むことができ、当業者は、それらのすべてが信号の送信と受信に関する複数のコンポーネント（例えばプロセッサ、変調器、マルチプレクサ、復調器、デマルチプレクサ又はアンテナなど）を含むことができる、と理解することができる。
【００４１】
ネットワークデバイス１０２は、複数の端末デバイス（例えば、端末デバイス１１６と端末デバイス１２２）と通信できる。さらに、ネットワークデバイス１０２が端末デバイス１１６又は１２２と類似する任意数の端末デバイスと通信できると理解することが可能である。端末デバイス１１６と１２２は、例えば、セルラー電話、スマートフォン、ポータブルコンピュータ、ポータブル通信デバイス、ポータブル計算デバイス、衛星無線装置、グローバル定位システム、ＰＤＡ及び／又は無線通信システム１００上で通信するための任意のその他の適切なデバイスであっても良い。
【００４２】
図１に示すように、端末デバイス１１６がアンテナ１１２と１１４と通信を行い、ここでアンテナ１１２と１１４とは、順方向リンク１１８を介して端末デバイス１１６に情報を送信し、逆方向リンク１２０を介して端末デバイス１１６から情報を受信する。また、端末デバイス１２２はアンテナ１０４及び１０６と通信し、ここでアンテナ１０４と１０６は順方向リンク１２４を介して端末デバイス１２２に情報を送信し、逆方向リンク１２６を介して端末デバイス１２２から情報を受信する。
【００４３】
例えば、周波数分割複信（ＦＤＤ：Ｆｒｅｑｕｅｎｃｙ  Ｄｉｖｉｓｉｏｎ  Ｄｕｐｌｅｘ）システムにおいて、例えば、順方向リンク１１８が、逆方向リンク１２０で使用されているのと異なる帯域を利用することができ、順方向リンク１２４が、逆方向リンク１２６で使用されているのと異なる帯域を利用することができる。
【００４４】
さらに例を挙げると、時分割複信（ＴＤＤ：Ｔｉｍｅ  Ｄｉｖｉｓｉｏｎ  Ｄｕｐｌｅｘ）システムと全二重（Ｆｕｌｌ  Ｄｕｐｌｅｘ）システムにおいて、順方向リンク１１８と逆方向リンク１２０とは共通の帯域を使用することができ、順方向リンク１２４と逆方向リンク１２６とは共通の帯域を使用することができる。
【００４５】
通信に用いられるように設計される各アンテナ、及び／又は、領域は、ネットワークデバイス１０２のセクタと称される。例えば、アンテナグループをネットワークデバイス１０２のカバレッジ領域のセクタ内の端末デバイスと通信するように設計することが可能である。ネットワークデバイス１０２が順方向リンク１１８と１２４を介して端末デバイス１１６と１２２とにそれぞれ通信を行う過程において、ネットワークデバイス１０２の送信アンテナは、ビームフォーミングを利用して順方向リンク１１８と１２４の信号対雑音比を改善することが可能である。また、ネットワークデバイスが単独のアンテナでそれのすべての端末デバイスに信号を送信する方式と比べて、ネットワークデバイス１０２がビームフォーミングを利用して、相関するカバレッジ領域内のランダム的に分散されている端末デバイス１１６と１２２とに信号を送信する時に、隣接セル内の移動デバイスは比較的に少ない干渉を受ける。
【００４６】
所定の時間において、ネットワークデバイス１０２、端末デバイス１１６又は端末デバイス１２２は、無線通信送信装置、及び／又は、無線通信受信装置であっても良い。データを送信する時に、無線通信送信装置は、データを符号化して伝送を行う。具体的に、無線通信送信装置は、チャネルを介して無線通信受信装置に送信しようとする一定の数のデータビットを取得（例えば、生成、その他の通信装置から受信、又は記憶装置に記憶するなど）することができる。このようなデータビットは、データの伝送ブロック（又は複数の伝送ブロック）内に含まれても良く、伝送ブロックが分割されて複数のコードブロックが生成されても良い。
【００４７】
以上において、図１を結合して本発明の実施例における通信システムを詳しく説明しており、以下において図２〜図１５を結合して当該システムに適用できる通信方法と通信デバイスに対して詳しく説明する。
【００４８】
図２は、本発明の実施例による通信方法２００の概略的なブロック図である。
【００４９】
２１０において、端末デバイスは、第１の周波数ドメインリソースを確定し、当該第１の周波数ドメインリソースが、第１の伝送時間間隔ＴＴＩを使用して第１のターゲット時間ユニットにおいて、第１の物理チャネルを伝送することをサポートするように予め設定される使用可能なリソースであり、ここで、当該第１のＴＴＩの時間長が当該第１のターゲット時間ユニットの時間長と等しい。
【００５０】
２２０において、当該端末デバイスは第２の周波数ドメインリソースを確定し、当該第２の周波数ドメインリソースが、第２のターゲット時間ユニットにおいて第２のＴＴＩを使用して、第２の物理チャネルを伝送するために用いられると確定され、ここで、当該第２のＴＴＩが当該第１のＴＴＩ以上であり、しかも当該第２のターゲット時間ユニットが、当該第１のターゲット時間ユニットと少なくとも部分的に重なる。
【００５１】
２３０において、当該端末デバイスは第３の周波数ドメインリソースを確定し、当該第３の周波数ドメインリソースは、当該第２の周波数ドメインリソースの少なくとも一部の周波数ドメインリソースを含み、しかも当該第３の周波数ドメインリソースが、当該第１のＴＴＩを使用して当該第１のターゲット時間ユニットにおいて、当該第１の物理チャネルを伝送することをサポートする最大の使用可能な周波数ドメインリソースである。
【００５２】
選択肢として、当該第３の周波数ドメインリソースは、当該第１の周波数ドメインリソースの少なくとも一部の周波数ドメインリソースをさらに含む。
【００５３】
理解の便利上、以下において図３を結合して、本発明の実施例の解決できる技術課題に対して説明する。ここで、仮に第１のＴＴＩを０．５ｍｓと、第２のＴＴＩを１ｍｓとする。
【００５４】
１ｍｓのＴＴＩを使用してデータを伝送するには、遅延を処理するために、比較的に長いスケジューリングが必要である。サブフレームｎにおいて１ｍｓのＴＴＩを使用して第２の物理チャネルを伝送する場合、それに対応するスケジューリングは、サブフレームｎ−４から開始する必要がある。それに対して、サブフレームｎにおいて０．５ｍｓのＴＴＩを使用して第２の物理チャネルを伝送する場合、それに対応するスケジューリングは、サブフレームｎ−２から開始すれば良い。つまり、サブフレームｎ−４のところで、第２の物理チャネルを伝送するために、既にサブフレームｎ内の第２のターゲット時間ユニット内の第２の周波数ドメインリソースを、ある端末デバイスに割り当てているが、サブフレームｎ−２のところで、第１の物理チャネルを伝送するために、サブフレームｎ内の第１のターゲット時間ユニット内の第１の周波数ドメインリソースを当該端末デバイスに割り当てる。第２のターゲット時間ユニットが第１のターゲット時間ユニットを含み、しかも伝送対象が、両方とも同じ端末デバイスであるため、同一のの端末デバイスが同一の時間に複数の物理チャネルを受信又は送信することができない場合、第１の物理チャネルを伝送するための周波数ドメインリソースは、無駄になる。しかも、第１の物理チャネルのスケジューリングが第２の物理チャネルのより遅いため、第１の物理チャネルを伝送すると確定する時に、サブフレームｎ内の第２の物理チャネルを伝送するためのリソースは、既に当該端末デバイスに割り当てており、別の端末デバイスに割り当てて第２のＴＴＩを使用して物理チャネルを伝送することができなくなり、リソースの無駄になる。
【００５５】
そのため、本発明の実施例において、第２の物理チャネルに割り当てられた少なくとも一部の周波数ドメインリソースを、第１の物理チャネルを伝送するための使用可能なリソースと確定し、リソースの無駄を避けることができる。
【００５６】
選択肢として、ネットワークデバイスは、端末デバイスに第１の構成情報を送信することができ、当該第１の構成情報が、当該第１の周波数ドメインリソースを示すために用いられ、それによって、端末デバイスは、当該第１の構成情報に基づいて、第１の周波数ドメインリソースを確定することができる。
【００５７】
選択肢として、ネットワークデバイスは、端末デバイスに第２の構成情報を送信することができ、当該第２の構成情報が、当該第２の周波数ドメインリソースを示すために用いられ、それによって、端末デバイスは、当該第２の構成情報に基づいて、第２の周波数ドメインリソースを確定することができる。
【００５８】
選択肢として、ネットワークデバイスは、端末デバイスに第３の構成情報を送信することができ、第３の構成情報は、第１のＴＴＩを使用して第１のターゲット時間ユニットにおいて、第１の物理チャネルを伝送するように、端末デバイスに指示するために用いられ、それによって端末デバイスは、当該第３の構成情報に基づいて、第１のＴＴＩを使用して第１のターゲット時間ユニットにおいて第１の物理チャネルを伝送することができる。
【００５９】
選択肢として、ネットワークデバイスは、端末デバイスに第４の構成情報を送信することができ、第４の構成情報が、第２のＴＴＩを使用して第２のターゲット時間ユニットにおいて第２の物理チャネルを伝送するように、端末デバイスに指示するために用いられ、それによって端末デバイスは当該第４の構成情報に基づいて、第２のＴＴＩを使用して第２のターゲット時間ユニットにおいて第２の物理チャネルを伝送することができる。
【００６０】
本発明の実施例において、上記の第１の周波数ドメインリソースは、予め構成された、第１のＴＴＩを使用して第１の物理チャネルを伝送するための使用可能なリソースであり、例えば、図３に示すように、サブフレームｎ−２のところでスケジューリングされる、サブフレームｎにおいて第１の物理チャネルを伝送するための周波数ドメインリソースである。ここで、当該第１の周波数ドメインリソースは、複数の物理リソースブロックを含むことをでき、即ち、第１の周波数ドメインリソースは、リソースプールとも称されても良く、端末デバイスは、第１の物理チャネルを伝送するために、基地局の指示に基づいて、当該リソースプールから物理リソースブロックを選択することができる。
【００６１】
本発明の実施例において、上記の第２の周波数ドメインリソースとは、第２のＴＴＩを使用して第２の物理チャネルを伝送するために用いられると確定した周波数ドメインリソースと指しており、例えば、図３に示すように、サブフレームｎ−４のところでスケジューリングされたサブフレームｎにおいて第２の物理チャネルを伝送するための周波数ドメインリソースである。
【００６２】
本発明の実施例において、端末デバイスは、第１の周波数ドメインリソースと第２の周波数ドメインリソースとの合計を第３の周波数ドメインリソース、と確定することができ、即ち、第１のターゲット時間ユニットにおいて第１の物理チャネルが伝送できる最大の使用可能なリソースであり、また、第３の周波数ドメインリソースもリソースプールと称されも良く、端末デバイスは、第１の物理チャネルを伝送するために、基地局の指示に基づいて、当該リソースプールから物理リソースブロックを選択することができる。
【００６３】
例えば、図４に示されるリソースは、予め構成された、第１の物理チャネルを伝送するための使用可能な時間周波数リソースであり、ここで、第１の物理チャネルに対応するＴＴＩが０．５ｍｓであっても良く、即ち、サブフレーム毎に二つの第１のターゲット時間ユニットを有し、図５に示されるリソースは、第２の物理チャネルを伝送するための時間周波数リソースであり、ここで、第２の物理チャネルに対応するＴＴＩが１ｍｓであっても良く、即ち、サブフレーム毎に一つの第２のターゲット時間ユニットを有し、それぞれの第１のターゲット時間ユニットの第１の物理チャネルを伝送するための最大の使用可能な周波数ドメインリソースは図６に示す通りである。
【００６４】
当然、本発明の実施例において、第１の周波数ドメインリソースの一部の周波数ドメインリソースと、第２の周波数ドメインリソースの一部の周波数ドメインリソースとの合計を、第３の周波数ドメインリソースと確定しても良く、又は、第２の周波数ドメインリソースの一部の周波数ドメインリソースを、第３の周波数ドメインリソースと確定しても良い。
【００６５】
例えば、仮に第１のターゲット時間ユニット内の第１の物理チャネルの伝送用の最大のＰＲＢの数をＮとし、ここのＮの値が、制御シグナリング（ＤＣＩ：Ｄｏｗｎｌｉｎｋ  Ｃｏｎｔｒｏｌ  Ｉｎｆｏｒｍａｔｉｏｎ）内の物理リソースブロック（ＰＲＢ：Ｐｈｙｓｉｃａｌ  Ｒｅｓｏｕｒｃｅ  Ｂｌｏｃｋ）位置を示す情報フィールドのビット数の制限を受ける可能性があり、例えばＤＣＩで９ビットの情報を固定的に使用してＰＲＢの位置を指示する場合、ＰＲＢの最大数は２５であり、又は基地局の設定又はプロトコルの規定によってＮの値を２５とする。
【００６６】
第２の周波数ドメインリソースに含まれるＰＲＢの数がＭであり、且つＭがＮ以下である場合、第２の周波数ドメインリソース内のＭ個のＰＲＢと第１の周波数ドメインリソース内のＮ−Ｍ個のＰＲＢとから、第３の周波数ドメインリソースを構成すると確定する、ここで第１の周波数ドメインリソース内のＮ−Ｍ個のＰＲＢが、ＰＲＢの番号順序における前のＮ−Ｍ個のＰＲＢ、又は最後のＮ−Ｍ個のＰＲＢのような定められたルールに基づいて選定することができる。
【００６７】
第２の周波数ドメインリソースに含まれるＰＲＢの数がＭであり、且つＭがＮより大きい場合、第２の周波数ドメインリソース内の前のＮ個、又は最後のＮ個のＰＲＢから、第３の周波数ドメインリソースを構成すると確定する。
【００６８】
本発明の実施例において、第３の周波数ドメインリソースを確定した後に、端末デバイスは当該第３の周波数ドメインリソースから、ターゲット周波数ドメインリソースを確定し、当該端末デバイスは、当該ターゲット周波数ドメインリソースを利用し、当該第１のＴＴＩを使用して、当該第１のターゲット時間ユニットにおいて、ネットワークデバイスに当該第１の物理チャネルを送信し、又は当該ネットワークデバイスから送信された当該第１の物理チャネルを受信する。
【００６９】
具体的に、第１の周波数ドメインリソースを利用する前に、ネットワークデバイスは、端末デバイスにダウンリンク制御情報を送信し、ターゲット周波数ドメインリソースの第３の周波数ドメインリソース内の位置を具体的に指示する。
【００７０】
選択肢として、端末デバイスがネットワークデバイスと同様な規則に従って、第３の周波数ドメインリソースの物理リソースブロックに対して番号を振り直すことができ、ネットワークデバイスは、端末デバイスに使用させるターゲット周波数ドメインリソースに対応する物理リソースブロックの改めて順序を付けた番号を、ダウンリンク制御情報に含ませ、それによって、端末デバイスは、当該ダウンリンク制御情報に基づいて、第３の周波数ドメインリソースからターゲット周波数ドメインリソースを確定することができる。
【００７１】
例えば、図７に示すように、サブフレームｎは、第２のターゲット時間ユニットであり、タイムスロット０とタイムスロット１のそれぞれは、二つの異なる第１のターゲット時間ユニットである。周波数ドメイン２は、元々、確定された、第２の物理チャネルを伝送するための第２の周波数ドメインリソースであり、物理リソースブロック｛ＰＲＢｃ  ＰＲＢｃ＋１｝を有し、周波数ドメイン１ａは予め構成された、タイムスロット０において第１の物理チャネルを伝送する第１の周波数ドメインリソースであり、物理リソースブロック｛ＰＲＢａ  ＰＲＢａ＋１……  ＰＲＢａ＋９｝を有し、周波数ドメイン１ｂは、予め構成された、タイムスロット１において第１の物理チャネルを伝送する第１の周波数ドメインリソースであり、物理リソースブロック｛ＰＲＢｂ  ＰＲＢｂ＋１……ＰＲＢｂ＋９｝を有する。タイムスロット０において第１の物理チャネルを伝送する最大の使用可能な周波数ドメインリソースが、周波数ドメイン１ａと周波数ドメイン２との合計であることを確定し、即ち、物理リソースブロック｛ＰＲＢａ  ＰＲＢａ＋１……ＰＲＢａ＋９  ＰＲＢｃ  ＰＲＢｃ＋１｝である。タイムスロット１において第１の物理チャネルを伝送する最大の使用可能な周波数ドメインリソースが、周波数ドメイン１ｂと周波数ドメイン２と合計であることを確定し、即ち、物理リソースブロック｛ＰＲＢｂ  ＰＲＢｂ＋１……ＰＲＢｂ＋９  ＰＲＢｃ  ＰＲＢｃ＋１｝である。ここで、｛｝内の物理リソースブロックの番号が連続したものであり、｛｝内の前のＰＲＢの番号が後ろのＰＲＢの番号より小さく、ＰＲＢｉは具体的な物理リソースブロックを意味し、ｉが当該物理リソースブロックの番号ではない。
【００７２】
図７で、第１の周波数ドメインリソース内の物理リソースブロックを第２の周波数ドメインリソースの前にしていると図示しているが、本発明の実施例はそれに限らない。例えば、第２の周波数ドメインリソース内の物理リソースブロックを第１の周波数ドメインリソースの物理リソースブロックの前にし、又は第１の周波数ドメインリソース内の物理リソースブロックを第２の周波数ドメインリソースの物理リソースブロックと交互に並ぶ。
【００７３】
ダウンリンク制御情報において、ＰＲＢリソース指示情報フィールドで指示できるＰＲＢの最大数が、第３の周波数ドメインリソース内のＰＲＢの数の合計より小さくない。
【００７４】
そのため、本発明の実施例において、第３のリソース内の物理リソースブロックを改めて連続的に番号を振り直すことによって、制御シグナリングのオーバーヘッドを低減することができる。
【００７５】
当然、送信されたダウンリンク制御情報は、ターゲット周波数ドメインリソースの順序の付けた番号を示すために用いられる以外に、その他の制御情報も含むことができる。
【００７６】
本発明の実施例において、ダウンリンク制御情報は、ＰＤＣＣＨによって送信されても良い。
【００７７】
選択肢として、本発明の実施例において、同一のＴＴＩに対応する異なるターゲット時間ユニットは同じ周波数ドメインリソースを有しても良い。例えば、図４に示すように、サブフレーム毎に二つのターゲット時間ユニットを有し、タイムスロット０とタイムスロット１とにそれぞれ対応する。ターゲット時間ユニット毎に対応する周波数ドメインリソースが同じである。
【００７８】
選択肢として、本発明の実施例において、同一のＴＴＩに対応するターゲット時間ユニットの周波数ドメインリソースは、完全に同じではなくても良く、又は部分的に同じではなくても良く、例えば、図８に示すように、サブフレーム毎に二つのターゲット時間ユニットを有し、タイムスロット０とタイムスロット１とにそれぞれ対応する。いずれか二つのターゲット時間ユニットに対応する周波数ドメインリソースは、部分的に同じであっても良く、完全に同じではなくても良く、又は完全に同じであっても良い。
【００７９】
本発明の実施例は、アップリンクの伝送に用いられても良く、ダウンリンクの伝送に用いられても良い。本発明の実施例は、アップリンクの伝送に用いられるか、それともダウンリンクの伝送に用いられるかに関わらず、ネットワークデバイスは、第１の周波数ドメインリソース、第２の周波数ドメインリソース、及び第３の周波数ドメインリソースも確定する必要がある。ネットワークデバイスが第３の周波数ドメインリソースを確定した後に、当該第３の周波数ドメインリソースからターゲット周波数ドメインリソースを確定することができる。ターゲット周波数ドメインリソースの当該第３の周波数ドメインリソースにおける位置を端末デバイスに通知し、それによって、端末デバイスは、ターゲット周波数ドメインリソースを確定することができ、第１のターゲット時間ユニットにおいて、当該ターゲット周波数ドメインリソースを利用して第１の物理チャネルを送信し、又は第１の物理チャネルを受信する。
【００８０】
選択肢として、アップリンクの伝送に用いられる時に、ネットワークデバイスは、ターゲット周波数ドメインリソースを示すためのダウンリンク制御情報を端末デバイスに事前に送信することができ、それによって端末デバイスが当該ダウンリンク制御情報を受信した場合、ターゲット周波数ドメインリソースを確定し、その後、データの符号化変調を行い、第１のターゲット時間ユニット内で、ターゲット周波数ドメインリソースにおいてアップリンクデータを送信する。ネットワークデバイスは、第１のターゲット時間ユニット内で、ターゲット周波数ドメインリソースにおいてアップリンクデータを受信することができる。
【００８１】
例１：第１の物理チャネルは動的にスケジューリングするＰＵＳＣＨであり、第２の物理チャネルは半永続的にスケジューリングするＰＵＳＣＨである。
【００８２】
周波数分割複信（ＦＤＤ：Ｆｒｅｑｕｅｎｃｙ  Ｄｉｖｉｓｉｏｎ  Ｄｕａｌ）システムを例として、第１の物理チャネルのＴＴＩが０．５ｍｓであり、第２の物理チャネルのＴＴＩが１ｍｓであり、その場合、サブフレームｎ内のタイムスロット０で伝送された第１の物理チャネルに対応するＤＣＩは、サブフレームｎ−２内のタイムスロット０で伝送され、第２の物理チャネルのスケジューリング情報が半永続的に構成され、即ち、基地局によって一回に指示してから、重複に使用される。
【００８３】
例２：第１の物理チャネルは動的にスケジューリングするＰＵＳＣＨであり、第２の物理チャネルは動的にスケジューリングするＰＵＳＣＨであり、しかも第２の物理チャネルのＴＴＩは第１の物理チャネルのＴＴＩより大きい。
【００８４】
ＦＤＤシステムを例として、第１の物理チャネルのＴＴＩが０．５ｍｓであり、第２の物理チャネルのＴＴＩが１ｍｓであり、その場合、サブフレームｎ内のタイムスロット０で伝送される第１の物理チャネルに対応するＤＣＩは、サブフレームｎ−２内のタイムスロット０で伝送され、サブフレームｎで伝送される第２の物理チャネルに対応するＤＣＩは、サブフレームｎ−４で伝送される。
【００８５】
選択肢として、アップリンク伝送時に、ターゲット時間ユニットに対応するサブフレームはアップリンクサブフレームである。
【００８６】
選択肢として、当該第１の物理チャネルが動的にスケジューリングするＰＵＳＣＨであり、当該第２の物理チャネルが半永続的にスケジューリングするＰＵＳＣＨであり、又は、当該第１の物理チャネルが動的にスケジューリングするＰＵＳＣＨであり、当該第２の物理チャネルが動的にスケジューリングするＰＵＳＣＨであり、当該第１のターゲット時間ユニットの時間長は当該第２のターゲット時間ユニットの時間長より短い。
【００８７】
より明確するために、以下において図９に示される方法３００を結合してアップリンク伝送に対して詳しく説明する。
【００８８】
３０１において、ネットワークデバイスは、端末デバイスが第１のＴＴＩを使用して第１の物理チャネルを送信する必要があることを確定し、ここで、第１の物理チャネルが動的にスケジューリングするＰＵＳＣＨであり、それのＴＴＩが０．５ｍｓである。ネットワークデバイスは、各アップリンクサブフレーム内の、端末デバイスが第１の物理チャネルを送信する第１の周波数ドメインリソースを確定し、端末に構成情報を送信し、第１の周波数ドメインリソース、及び／又は端末が第１の物理チャネルを送信することをサポートするアップリンクサブフレームを通知する。
【００８９】
３０２において、端末デバイスが、ネットワークデバイスから送信された構成情報を受信した後に、第１の周波数ドメインリソース、及び／又は第１の物理チャネルを送信することをサポートするアップリンクサブフレームを確定する。
【００９０】
３０３において、ネットワークデバイスは、端末デバイスがサブフレームｎにおいて第２のＴＴＩを使用して第２の物理チャネルを送信する必要があることを確定し、ここで第２の物理チャネルが動的にスケジューリングするＰＵＳＣＨであり、それのＴＴＩが１ｍｓである。ネットワークデバイスは、端末デバイスが第２の物理チャネルを送信する第２の周波数ドメインリソースを確定し、サブフレームｎ−４において端末デバイスに構成情報を送信し、当該構成情報が、第２のＴＴＩを使用してサブフレームｎにおいて第２の物理チャネルを伝送するように、端末デバイスに指示するために用いられ、また、第２の物理チャネルを伝送する周波数ドメインリソースが第２の周波数ドメインリソースである。ネットワークデバイスは第３の周波数ドメインリソースを確定し、第３の周波数ドメインリソースは、少なくとも一部の第１の周波数ドメインリソースと少なくとも一部の第２の周波数ドメインリソースとを含む。ネットワークデバイスは、第３の周波数ドメインリソースと第２の周波数ドメインリソースとに対応するすべてのＰＲＢに対して、改めて順序を付けて番号を振り直す。
【００９１】
３０４において、端末デバイスが、サブフレームｎ−４においてネットワークデバイスから送信された構成情報を受信した後に、サブフレームｎにおいて送信する第２の物理チャネルのデータの準備を開始することができる。また、端末デバイスは第３の周波数ドメインリソースを確定し、第３の周波数ドメインリソースは、少なくとも一部の第１の周波数ドメインリソースと少なくとも一部の第２の周波数ドメインリソースとを含む。端末デバイスは、第３の周波数ドメインリソースと第２の周波数ドメインリソースとに対応するすべてのＰＲＢに対して、改めて順序を付けて番号を振り直す。
【００９２】
３０５において、ネットワークデバイスは、端末デバイスがサブフレームｎのタイムスロット０において、第１のＴＴＩを使用して第１の物理チャネルを送信する必要があることを確定し、ここで第１の物理チャネルが動的にスケジューリングするＰＵＳＣＨであり、それのＴＴＩが０．５ｍｓである。ネットワークデバイスは、サブフレームｎ−２のタイムスロット０において端末デバイスにダウンリンク制御シグナリングを送信し、当該ダウンリンク制御シグナリングＤＣＩは、第１の物理チャネルを伝送するターゲット周波数ドメインリソースを端末デバイスに示すために用いられ、ここで、ターゲット周波数ドメインリソースが、第３の周波数ドメインリソースに属する。
【００９３】
３０６において、端末デバイスは、サブフレームｎ−２のタイムスロット０においてネットワークデバイスから送信されたＤＣＩを受信した後に、サブフレームｎにおいて送信する第１の物理チャネルのデータの準備を開始することができ、また、サブフレームｎにおいて送信する第２の物理チャネルのデータの準備を停止する。
【００９４】
３０７において、端末デバイスは、タイムスロット０において、ターゲット周波数ドメインリソースを利用してネットワークデバイスに第１の物理チャネルを送信する。
【００９５】
３０８において、ネットワークデバイスは、タイムスロット０において、端末デバイスがターゲット周波数ドメインリソースを利用して送信された第１の物理チャネルを受信する。
【００９６】
より明確にするために、以下において図１０に示される方法４００を結合してアップリンク伝送に対して詳しく別の説明を行う。
【００９７】
４０１において、ネットワークデバイスは、端末デバイスが第１のＴＴＩを使用して第１の物理チャネルを送信する必要があることを確定し、ここで、第１の物理チャネルが動的にスケジューリングするＰＵＳＣＨであり、それのＴＴＩが０．５ｍｓである。ネットワークデバイスは、各アップリンクサブフレーム内の、端末デバイスが第１の物理チャネルを送信する第１の周波数ドメインリソースを確定し、端末に構成情報を送信し、第１の周波数ドメインリソース、及び／又は端末が第１の物理チャネルを送信することをサポートするアップリンクサブフレームを通知する。
【００９８】
４０２において、端末デバイスが、ネットワークデバイスから送信された構成情報を受信した後に、第１の周波数ドメインリソース、及び／又は第１の物理チャネルを送信することをサポートするアップリンクサブフレームを確定する。
【００９９】
４０３において、ネットワークデバイスは、端末デバイスが第２のＴＴＩを使用して第２の物理チャネルを送信する伝送サブフレーム、及び各伝送サブフレーム内の第２の周波数ドメインリソースを確定し、ここで第２の物理チャネルが半永続的にスケジューリングするＰＵＳＣＨであり、それのＴＴＩが１ｍｓである。ネットワークデバイスは、各伝送サブフレーム内の第３の周波数ドメインリソースを確定し、第３の周波数ドメインリソースは、少なくとも一部の第１の周波数ドメインリソースと少なくとも一部の第２の周波数ドメインリソースとを含む。ネットワークデバイスは、第３の周波数ドメインリソースと第２の周波数ドメインリソースとに対応するすべてのＰＲＢに対して、改めて順序を付けて番号を振り直す。
【０１００】
４０４において、端末デバイスが、ネットワークデバイスから送信された構成情報を受信した後に、第２の物理チャネルの伝送サブフレーム、及び第２の周波数ドメインリソースを確定する。端末デバイスは、各伝送サブフレーム内の第３の周波数ドメインリソースを確定し、第３の周波数ドメインリソースは、少なくとも一部の第１の周波数ドメインリソースと少なくとも一部の第２の周波数ドメインリソースとを含む。端末デバイスは、第３の周波数ドメインリソースと第２の周波数ドメインリソースとに対応するすべてのＰＲＢに対して、改めて順序を付けて番号を振り直す。
【０１０１】
４０５において、端末デバイスは、サブフレームｎ−４において、サブフレームｎで第２のＴＴＩを使用して、第２の周波数ドメインリソースにおいて端末デバイスに第２の物理チャネルを送信する必要があることを確定し、第２の物理チャネルに対応するデータの準備を開始する。
【０１０２】
４０６において、ネットワークデバイスは、サブフレームｎ−２において、ＤＣＩを送信し、サブフレームｎ内で第１のＴＴＩを使用して、ターゲット周波数ドメインリソースにおいて第１の物理チャネルを送信するように端末に通知し、ここでターゲット周波数ドメインリソースが第３の周波数ドメインリソースに属する。
【０１０３】
４０７において、端末デバイスは、サブフレームｎ−２におてＤＣＩを受信し、サブフレームｎ内で第１のＴＴＩを使用して、ターゲット周波数ドメインリソースにおいて第１の物理チャネルを送信することを確定し、第１の物理チャネルに対応するデータの準備を開始し、第２の物理チャネルのデータの準備を停止する。
【０１０４】
４０８において、端末デバイスは、タイムスロット０において、ターゲット周波数ドメインリソースを利用してネットワークデバイスに第１の物理チャネルを送信する。
【０１０５】
４０９において、ネットワークデバイスはタイムスロット０において、端末デバイスがターゲット周波数ドメインリソースを利用してから送信された第１の物理チャネルを受信する。
【０１０６】
選択肢として、ダウンリンクの伝送に用いられる時に、ネットワークデバイスは、第１のターゲット時間ユニットにおいて、ターゲット周波数ドメインリソースを示すためのダウンリンク制御情報と、ダウンリンクデータとを一緒に端末デバイスに送信することができ、ここで、ダウンリンクデータが、ターゲット周波数ドメインリソースによって送信される。端末デバイスは、ダウンリンク制御情報に基づいて、ターゲット周波数ドメインリソースを確定し、ターゲット周波数ドメインリソースにおいてネットワークデバイスから送信されたダウンリンクデータを受信する。選択肢として、ダウンリンク制御シグナリングに対するブラインド検査の数を減らすために、ネットワークデバイスは、当該第１のターゲット時間ユニットにおいて、第１の周波数ドメインリソースを利用して、ダウンリンク制御情報を端末デバイスに送信することができる。
【０１０７】
選択肢として、ダウンリンクの伝送に用いられる時に、ターゲット時間ユニットに対応するサブフレームは、ダウンリンクサブフレーム又はＴＤＤ特徴サブフレームである。
【０１０８】
選択肢として、当該第１の物理チャネルは、動的にスケジューリングするＰＤＳＣＨであり、当該第２の物理チャネルは、半永続的にスケジューリングするＰＤＳＣＨである。
【０１０９】
より明確にするために、図１１に示される方法５００を結合して、ダウンリンク伝送に対して詳しく説明する。
【０１１０】
５０１において、ネットワークデバイスは、端末デバイスが第１のＴＴＩを使用して第１の物理チャネルを送信する必要があることを確定し、ここで第１の物理チャネルが動的にスケジューリングするＰＤＳＣＨであり、それのＴＴＩが０．５ｍｓである。ネットワークデバイスは、各サブフレーム内の、端末デバイスが第１の物理チャネルを受信する第１の周波数ドメインリソースを確定し、端末に構成情報を送信して第１の周波数ドメインリソース及び／又は端末が第１の物理チャネルを受信することをサポートするサブフレームを通知する。
【０１１１】
５０２において、端末デバイスが、ネットワークデバイスから送信された構成情報を受信した後に、第１の周波数ドメインリソース及び／又は第１の物理チャネルを受信することをサポートするサブフレームを確定する。
【０１１２】
５０３において、ネットワークデバイスは、第２のＴＴＩを使用して端末デバイスに第２の物理チャネルを送信する伝送サブフレーム、及び各伝送サブフレーム内の第２の周波数ドメインリソースを確定し、ここで第２の物理チャネルが半永続的にスケジューリングするＰＤＳＣＨであり、それのＴＴＩが１ｍｓである。ネットワークデバイスは、各伝送サブフレーム内の第３の周波数ドメインリソースを確定し、第３の周波数ドメインリソースは、少なくとも一部の第１の周波数ドメインリソースと少なくとも一部の第２の周波数ドメインリソースとを含む。ネットワークデバイスは、第３の周波数ドメインリソースと第２の周波数ドメインリソースとに対応するすべてのＰＲＢに対して、改めて順序を付けて番号を振り直す。
【０１１３】
５０４において、端末デバイスが、ネットワークデバイスから送信された構成情報を受信した後に、第２の物理チャネルの伝送サブフレーム、及び第２の周波数ドメインリソースを確定する。端末デバイスは、各伝送サブフレーム内の第３の周波数ドメインリソースを確定し、第３の周波数ドメインリソースは、少なくとも一部の第１の周波数ドメインリソースと少なくとも一部の第２の周波数ドメインリソースとを含む。端末デバイスは、第３の周波数ドメインリソースと第２の周波数ドメインリソースとに対応するすべてのＰＲＢに対して、改めて順序を付けて番号を振り直す。
【０１１４】
５０５において、ネットワークデバイスは、サブフレームｎ−４で、サブフレームｎにおいて第２のＴＴＩを使用して、第２の周波数ドメインリソースにおいて端末デバイスに第２の物理チャネルを送信する必要があることを確定し始め、第２の物理チャネルに対応するデータの準備を開始する。
【０１１５】
５０６において、ネットワークデバイスは、サブフレームｎ−２で、サブフレームｎにおいて第１のＴＴＩを使用して第１の物理チャネルを伝送する必要があることを確定し始め、第１の物理チャネルに対応するデータ、及び対応するＤＣＩの準備を開始し、第２の物理チャネルに対応するデータの準備を停止する。
【０１１６】
５０７において、ネットワークデバイスは、サブフレームｎのタイムスロット０で、端末デバイスにＤＣＩを送信し、当該ＤＣＩは、サブフレームｎのタイムスロット０において第１のＴＴＩを使用して、ターゲット周波数ドメインリソースを利用して、第１の物理チャネルを受信するように、端末デバイスに指示するために用いられ、ここでターゲット周波数ドメインリソースが第３の周波数ドメインリソースに属する。
【０１１７】
５０８において、ネットワークデバイスは、サブフレームｎのタイムスロット０において、ターゲット周波数ドメインリソースを使用して、端末デバイスに第１の物理チャネルを送信する。
【０１１８】
５０９において、端末デバイスは、サブフレームｎのタイムスロット０において、ターゲット周波数ドメインリソースを使用して、ネットワークデバイスから送信された第１の物理チャネルを受信する。
【０１１９】
本発明の各実施例において、上記の各過程の番号は実施の前後順序を意味せず、各過程の実施順序は、その機能と自身のロジックによって確定されるべきであり、本発明の実施例の実施過程を制限するものになるわけではない、理解すべきである。
【０１２０】
図１２は、本発明の実施例による端末デバイス６００の概略的なブロック図である。図１２に示すように、当該端末デバイス６００は、第１の確定ユニット６１０、第２の確定ユニット６２０、及び第３の確定ユニット６３０を含む。
【０１２１】
ここで、第１の確定ユニットは、第１の周波数ドメインリソースを確定するように構成され、当該第１の周波数ドメインリソースが、第１の伝送時間間隔ＴＴＩを使用して第１のターゲット時間ユニットにおいて、第１の物理チャネルを伝送することをサポートするように予め設定される使用可能なリソースであり、ここで、当該第１のＴＴＩの時間長が当該第１のターゲット時間ユニットの時間長と等しく、第２の確定ユニットは、第２の周波数ドメインリソースを確定するように構成され、当該第２の周波数ドメインリソースが、第２のターゲット時間ユニットにおいて第２のＴＴＩを使用して、第２の物理チャネルを伝送するために用いられると確定され、ここで、当該第２のＴＴＩが当該第１のＴＴＩ以上であり、しかも当該第２のターゲット時間ユニットが、当該第１のターゲット時間ユニットと少なくとも部分的に重なり、第３の確定ユニットは、第３の周波数ドメインリソースを確定するように構成され、当該第３の周波数ドメインリソースは、当該第２の周波数ドメインリソースの少なくとも一部の周波数ドメインリソースを含み、しかも当該第３の周波数ドメインリソースが、当該第１のＴＴＩを使用して当該第１のターゲット時間ユニットにおいて、当該第１の物理チャネルを伝送することをサポートする最大の使用可能な周波数ドメインリソースである。
【０１２２】
選択肢として、当該第３の周波数ドメインリソースは、当該第１の周波数ドメインリソースの少なくとも一部の周波数ドメインリソースをさらに含む。
【０１２３】
選択肢として、図１２に示すように、当該端末デバイス６００は、第４の確定ユニット６４０と第１の送受信ユニット６５０とをさらに含む。ここで、当該第４の確定ユニット６４０は、当該第３の周波数ドメインリソースの中から、ターゲット周波数ドメインリソースを確定するように構成され、第１の送受信ユニット６５０は、当該ターゲット周波数ドメインリソースを利用して、当該第１のＴＴＩを使用して、当該第１のターゲット時間ユニットにおいて、ネットワークデバイスに当該第１の物理チャネルを送信する、又は当該ネットワークデバイスから送信された当該第１の物理チャネルを受信するように構成される。
【０１２４】
選択肢として、図１２に示すように、当該端末デバイス６００は、ネットワークデバイスより送信された第１のダウンリンク制御情報を受信するように構成される第２の送受信ユニット６６０をさらに含み、当該第１のダウンリンク制御情報が、ターゲット周波数ドメインリソースの当該第３の周波数ドメインリソースにおける位置を示すために用いられ、当該第４の確定ユニット６４０は、当該ダウンリンク制御情報に基づいて、当該ターゲット周波数ドメインリソースを確定するように構成される。
【０１２５】
選択肢として、図１２に示すように、当該端末デバイスは、当該第３の周波数ドメインリソース内のＰＲＢを改めて連続的に順序を付けるように構成される順序付けユニット６７０をさらに含み、ここで、当該ターゲット周波数ドメインリソースの当該第３の周波数ドメインリソースにおける位置を示すために、当該第１のダウンリンク制御情報が、当該ターゲット周波数ドメインリソースに対応するＰＲＢの改めて順序を付けた番号を示すために用いられる。
【０１２６】
選択肢として、図１２に示すように、当該端末デバイスは、ダウンリンク制御チャネルＰＤＣＣＨチャネルにおいてダウンリンク制御情報を受信し、又は当該第１のターゲット時間ユニットにおいて、当該第１の周波数ドメインリソースにおいてダウンリンク制御情報を受信するように構成される第２の送受信ユニット６６０をさらに含む。
【０１２７】
選択肢として、図１２に示すように、当該端末デバイス６００は、ネットワークデバイスから送信された、当該第１のリソースを示すための第１の構成情報、当該第２のリソースを示すための第２の構成情報、当該第１のＴＴＩを使用して当該第１の物理チャネルを送信又は受信するように当該端末デバイスに指示するための第３の構成情報、及び当該第２のＴＴＩを使用して当該第２の物理チャネルを送信又は受信するように当該端末デバイスに指示するための第４の構成情報のうちの少なくとも一つを受信するように構成される第３の送受信ユニット６８０をさらに含む。
【０１２８】
選択肢として、当該第１の物理チャネルが動的にスケジューリングするＰＤＳＣＨであり、当該第２の物理チャネルが半永続的にスケジューリングするＰＤＳＣＨであり、又は、当該第１の物理チャネルが動的にスケジューリングするＰＵＳＣＨであり、当該第２の物理チャネルが半永続的にスケジューリングするＰＵＳＣＨであり、又は、当該第１の物理チャネルが動的にスケジューリングするＰＵＳＣＨであり、当該第２の物理チャネルが動的にスケジューリングするＰＵＳＣＨであり、当該第１のターゲット時間ユニットの時間長は、当該第２のターゲット時間ユニットの時間長より小さい。
【０１２９】
選択肢として、当該第１の物理チャネルがＰＵＳＣＨである場合、当該第１のターゲット時間ユニットと当該第２のターゲット時間ユニットとの所属するサブフレームはアップリンクサブフレームであり、及び／又は、当該第１の物理チャネルがＰＤＳＣＨである場合、当該第１のターゲット時間ユニットと当該第２のターゲット時間ユニットとの所属するサブフレームはダウンリンクサブフレーム又はＴＤＤ特徴サブフレームである。
【０１３０】
なお、端末デバイス６００は、方法実施例における端末デバイスに対応する機能を実現することができ、簡潔上、ここで省略する。
【０１３１】
図１３は、本発明の実施例によるネットワークデバイス７００の概略的なブロック図である。図１３に示すように、当該ネットワークデバイス７００は、第１の確定ユニット７１０、第２の確定ユニット７２０、及び第３の確定ユニット７３０を含む。ここで、第１の確定ユニット７１０は、第１の周波数ドメインリソースを確定するように構成され、当該第１の周波数ドメインリソースが、第１の伝送時間間隔ＴＴＩを使用して第１のターゲット時間ユニットにおいて、第１の物理チャネルを伝送することをサポートするように予め設定される使用可能なリソースであり、ここで、当該第１のＴＴＩの時間長が当該第１のターゲット時間ユニットの時間長と等しく、第２の確定ユニット７２０は、第２の周波数ドメインリソースを確定するように構成され、当該第２の周波数ドメインリソースが、第２のターゲット時間ユニットにおいて第２のＴＴＩを使用して、第２の物理チャネルを伝送するために用いられると確定され、ここで、当該第２のＴＴＩが当該第１のＴＴＩ以上であり、しかも当該第２のターゲット時間ユニットが、当該第１のターゲット時間ユニットと少なくとも部分的に重なり、第３の確定ユニット７３０は、第３の周波数ドメインリソースを確定するように構成され、当該第３の周波数ドメインリソースは、当該第２の周波数ドメインリソースの少なくとも一部の周波数ドメインリソースを含み、しかも当該第３の周波数ドメインリソースが、当該第１のＴＴＩを使用して当該第１のターゲット時間ユニットにおいて、当該第１の物理チャネルを伝送することをサポートする最大の使用可能な周波数ドメインリソースである。
【０１３２】
選択肢として、当該第３の周波数ドメインリソースは、当該第１の周波数ドメインリソースの少なくとも一部の周波数ドメインリソースをさらに含む。
【０１３３】
選択肢として、図１３に示すように、当該ネットワークデバイス７００は、当該第３の周波数ドメインリソースの中から、ターゲット周波数ドメインリソースを確定するように構成される第４の確定ユニット７４０と、当該ターゲット周波数ドメインリソースを利用して、当該第１のＴＴＩを使用し、当該第１のターゲット時間ユニットにおいて、端末デバイスに当該第１の物理チャネルを送信し、又は端末デバイスから送信された当該第１の物理チャネルを受信するように構成される第１の送受信ユニット７５０と、をさらに含む。
【０１３４】
選択肢として、図１３に示すように、当該ネットワークデバイス７００は、端末デバイスに第１のダウンリンク制御情報を送信するように構成される第２の送受信ユニット７６０をさらに含み、当該端末デバイスが当該第１のダウンリンク制御情報に基づいて、当該ターゲット周波数ドメインリソースを確定することができるように、当該第１のダウンリンク制御情報が、ターゲット周波数ドメインリソースの当該第３の周波数ドメインリソースにおける位置を示すために用いられる。
【０１３５】
選択肢として、図１３に示すように、当該ネットワークデバイス７００は、当該第３の周波数ドメインリソース内のＰＲＢを改めて連続的に順序を付けるように構成される順序付けユニット７７０をさらに含み、ここで、当該ターゲット周波数ドメインリソースの当該第３の周波数ドメインリソースにおける位置を示すために、当該第１のダウンリンク制御情報が、当該ターゲット周波数ドメインリソースに対応するＰＲＢの改めて順序を付けた番号を示すために用いられる。
【０１３６】
選択肢として、図１３に示すように、当該ネットワークデバイス７００は、ダウンリンク制御チャネルＰＤＣＣＨチャネルにおいてダウンリンク制御情報を送信し、又は当該第１のターゲット時間ユニットにおいて、当該第１の周波数ドメインリソースにおいてダウンリンク制御情報を送信するように構成される第２の送受信ユニット７６０をさらに含む。
【０１３７】
選択肢として、図１３に示すように、当該ネットワークデバイス７００は、端末デバイスに、
当該第１のリソースを示すための第１の構成情報、当該第２のリソースを示すための第２の構成情報、当該第１のＴＴＩを使用して当該第１の物理チャネルを送信又は受信するように当該端末デバイスに指示するための第３の構成情報、及び当該第２のＴＴＩを使用して当該第２の物理チャネルを送信又は受信するように当該端末デバイスに指示するための第４の構成情報のうちの少なくとも一つを送信するように構成される第３の送受信ユニット７８０をさらに含む。
【０１３８】
選択肢として、当該第１の物理チャネルが動的にスケジューリングするＰＤＳＣＨであり、当該第２の物理チャネルが半永続的にスケジューリングするＰＤＳＣＨであり、又は、当該第１の物理チャネルが動的にスケジューリングするＰＵＳＣＨであり、当該第２の物理チャネルが半永続的にスケジューリングするＰＵＳＣＨであり、又は、当該第１の物理チャネルが動的にスケジューリングするＰＵＳＣＨであり、当該第２の物理チャネルが動的にスケジューリングするＰＵＳＣＨであり、当該第１のターゲット時間ユニットの時間長が、当該第２のターゲット時間ユニットの時間長より小さい。
【０１３９】
選択肢として、当該第１の物理チャネルがＰＵＳＣＨである場合、当該第１のターゲット時間ユニットと当該第２のターゲット時間ユニットとの所属するサブフレームはアップリンクサブフレームであり、及び／又は、当該第１の物理チャネルがＰＤＳＣＨである場合、当該第１のターゲット時間ユニットと当該第２のターゲット時間ユニットとの所属するサブフレームはダウンリンクサブフレーム又はＴＤＤ特徴サブフレームである。
【０１４０】
なお、ネットワークデバイス７００は、方法実施例におけるネットワークデバイスに対応する機能を実現することができ、簡潔上、ここで省略する。
【０１４１】
図１４は、本発明の実施例による端末デバイス８００の概略的なブロック図である。図１４に示すように、当該端末デバイス８００は、プロセッサ８１０と記憶装置８２０とを含む。記憶装置８２０は、プログラム命令を記憶するために構成される。プロセッサ８１０は、記憶装置８２０に記憶されるプログラム命令を呼び出し、方法実施例における端末デバイスに対応する操作を実行することができる。選択肢として、当該端末デバイス８００は、外部に通信するための送受信装置８３０と、プロセッサ８１０、記憶装置８２０及び送受信装置８３０を互いに接続するためのバスシステム８４０とをさらに含む。
【０１４２】
具体的に、プロセッサ８１０は、記憶装置８２０に記憶されるプログラム命令を呼び出することができ、
第１の周波数ドメインリソースを確定することと、第２の周波数ドメインリソースを確定し、当該第２の周波数ドメインリソースが、第２のターゲット時間ユニットにおいて第２のＴＴＩを使用して、第２の物理チャネルを伝送するために用いられると確定されることと、第３の周波数ドメインリソースを確定することと、
を実行し、
当該第１の周波数ドメインリソースが、第１の伝送時間間隔ＴＴＩを使用して第１のターゲット時間ユニットにおいて、第１の物理チャネルを伝送することをサポートするように予め設定される使用可能なリソースであり、ここで、当該第１のＴＴＩの時間長が当該第１のターゲット時間ユニットの時間長と等しく、
ここで、当該第２のＴＴＩが当該第１のＴＴＩ以上であり、しかも当該第２のターゲット時間ユニットが、当該第１のターゲット時間ユニットと少なくとも部分的に重なり、
当該第３の周波数ドメインリソースは、当該第２の周波数ドメインリソースの少なくとも一部の周波数ドメインリソースを含み、しかも当該第３の周波数ドメインリソースが、当該第１のＴＴＩを使用して当該第１のターゲット時間ユニットにおいて、当該第１の物理チャネルを伝送することをサポートする最大の使用可能な周波数ドメインリソースである。
【０１４３】
選択肢として、当該第３の周波数ドメインリソースは、当該第１の周波数ドメインリソースの少なくとも一部の周波数ドメインリソースをさらに含む。
【０１４４】
具体的に、プロセッサ８１０は、記憶装置８２０に記憶されるプログラム命令を呼び出すことができ、
当該端末デバイスは、当該第３の周波数ドメインリソースの中から、ターゲット周波数ドメインリソースを確定することと、
当該ターゲット周波数ドメインリソースを利用して、当該第１のＴＴＩを使用して、当該第１のターゲット時間ユニットにおいて、ネットワークデバイスに当該第１の物理チャネルを送信し、又は当該ネットワークデバイスから送信された当該第１の物理チャネルを受信することと、
を実行する。
【０１４５】
具体的に、プロセッサ８１０は、記憶装置８２０に記憶されるプログラム命令を呼び出すことができ、
送受信装置８３０を利用して、ネットワークデバイスより送信された第１のダウンリンク制御情報を受信することと、
当該ダウンリンク制御情報に基づいて、当該ターゲット周波数ドメインリソースを確定することと、
を実行し、当該第１のダウンリンク制御情報が、ターゲット周波数ドメインリソースの当該第３の周波数ドメインリソースにおける位置を示すために用いられる。
【０１４６】
具体的に、プロセッサ８１０は、記憶装置８２０に記憶されるプログラム命令を呼び出すことができ、
当該第３の周波数ドメインリソース内のＰＲＢを改めて連続的に順序を付けることを実行することができ、ここで、当該ターゲット周波数ドメインリソースの当該第３の周波数ドメインリソースにおける位置を示すために、当該第１のダウンリンク制御情報が、当該ターゲット周波数ドメインリソースに対応するＰＲＢの改めて順序を付けた番号を示すために用いられる。
【０１４７】
具体的に、プロセッサ８１０は、記憶装置８２０に記憶されるプログラム命令を呼び出すことができ、
送受信装置８３０を利用して、ダウンリンク制御チャネルＰＤＣＣＨチャネルにおいてダウンリンク制御情報を受信し、又は当該第１のターゲット時間ユニットにおいて、当該第１の周波数ドメインリソースにおいてダウンリンク制御情報を受信することを実行する。
【０１４８】
具体的に、プロセッサ８１０は、記憶装置８２０に記憶されるプログラム命令を呼び出すことができ、
送受信装置８３０を利用して、ネットワークデバイスから送信された、当該第１のリソースを示すための第１の構成情報、当該第２のリソースを示すための第２の構成情報、当該第１のＴＴＩを使用して当該第１の物理チャネルを送信又は受信するように当該端末デバイスに指示するための第３の構成情報、及び当該第２のＴＴＩを使用して当該第２の物理チャネルを送信又は受信するように当該端末デバイスに指示するための第４の構成情報のうちの少なくとも一つを受信することを実行する。
【０１４９】
なお、端末デバイス８００は、方法実施例における端末デバイスに対応する機能を実現することができ、簡潔上、ここで省略する。
【０１５０】
図１５は、本発明の実施例によるネットワークデバイス９００の概略的なブロック図である。図１５に示すように、当該ネットワークデバイス９００は、プロセッサ９１０と記憶装置９２０とを含む。記憶装置９２０は、プログラム命令を記憶するために構成される。プロセッサ９１０は、記憶装置９２０に記憶されるプログラム命令を呼び出すことができ、方法実施例におけるネットワークデバイスに対応する操作を実行することができる。選択肢として、当該ネットワークデバイス９００は、対外的に通信する送受信装置９３０と、プロセッサ９１０、記憶装置９２０及び送受信装置９３０を互いに接続するバスシステム９４０とをさらに含む。
【０１５１】
具体的に、プロセッサ９１０は、記憶装置９２０に記憶されるプログラム命令を呼び出すことができ、
第１の周波数ドメインリソースを確定することと、
第２の周波数ドメインリソースを確定し、当該第２の周波数ドメインリソースが、第２のターゲット時間ユニットにおいて第２のＴＴＩを使用して、第２の物理チャネルを伝送するために用いられると確定されることと、
第３の周波数ドメインリソースを確定することと、
を実行し、
当該第１の周波数ドメインリソースが、第１の伝送時間間隔ＴＴＩを使用して第１のターゲット時間ユニットにおいて、第１の物理チャネルを伝送することをサポートするように予め設定される使用可能なリソースであり、ここで、当該第１のＴＴＩの時間長が当該第１のターゲット時間ユニットの時間長と等しく、
ここで、当該第２のＴＴＩが当該第１のＴＴＩ以上であり、しかも当該第２のターゲット時間ユニットが、当該第１のターゲット時間ユニットと少なくとも部分的に重なり、
当該第３の周波数ドメインリソースは、当該第２の周波数ドメインリソースの少なくとも一部の周波数ドメインリソースを含み、しかも当該第３の周波数ドメインリソースが、当該第１のＴＴＩを使用して当該第１のターゲット時間ユニットにおいて、当該第１の物理チャネルを伝送することをサポートする最大の使用可能な周波数ドメインリソースである。
【０１５２】
選択肢として、当該第３の周波数ドメインリソースは、当該第１の周波数ドメインリソースの少なくとも一部の周波数ドメインリソースをさらに含む。
【０１５３】
具体的に、プロセッサ９１０は、記憶装置９２０に記憶されるプログラム命令を呼び出すことができ、
当該第３の周波数ドメインリソースの中から、ターゲット周波数ドメインリソースを確定することと、
当該ターゲット周波数ドメインリソースを利用して、当該第１のＴＴＩを使用し、当該第１のターゲット時間ユニットにおいて、送受信装置９３０によって、端末デバイスに当該第１の物理チャネルを送信し、又は端末デバイスから送信された当該第１の物理チャネルを受信することと、
を実行する。
【０１５４】
具体的に、プロセッサ９１０は、記憶装置９２０に記憶されるプログラム命令を呼び出すことができ、
送受信装置９３０によって、端末デバイスに第１のダウンリンク制御情報を送信することを実行し、当該端末デバイスが当該第１のダウンリンク制御情報に基づいて、当該ターゲット周波数ドメインリソースを確定することができるように、当該第１のダウンリンク制御情報が、ターゲット周波数ドメインリソースの当該第３の周波数ドメインリソースにおける位置を示すために用いられる。
【０１５５】
具体的に、プロセッサ９１０は、記憶装置９２０に記憶されるプログラム命令を呼び出すことができ、
当該第３の周波数ドメインリソース内のＰＲＢを改めて連続的に順序を付けることを実行し、ここで、当該ターゲット周波数ドメインリソースの当該第３の周波数ドメインリソースにおける位置を示すために、当該第１のダウンリンク制御情報が、当該ターゲット周波数ドメインリソースに対応するＰＲＢの改めて順序を付けた番号を示すために用いられる。
【０１５６】
具体的に、プロセッサ９１０は、記憶装置９２０に記憶されるプログラム命令を呼び出すことができ、
送受信装置９３０によって、ダウンリンク制御チャネルＰＤＣＣＨチャネルにおいてダウンリンク制御情報を送信し、又は当該第１のターゲット時間ユニットにおいて、当該第１の周波数ドメインリソースにおいてダウンリンク制御情報を送信する。
【０１５７】
具体的に、プロセッサ９１０は、記憶装置９２０に記憶されるプログラム命令を呼び出すことができ、
送受信装置９３０によって、端末デバイスに、当該第１のリソースを示すための第１の構成情報、当該第２のリソースを示すための第２の構成情報、当該第１のＴＴＩを使用して当該第１の物理チャネルを送信又は受信するように、当該端末デバイスに指示するための第３の構成情報、和当該第２のＴＴＩを使用して当該第２の物理チャネルを送信又は受信するように、当該端末デバイスに指示するための第４の構成情報のうちの少なくとも一つを送信することを実行する。
【０１５８】
なお、ネットワークデバイス９００は、方法実施例におけるネットワークデバイスに対応する機能を実現することができ、簡潔上、ここで省略する。
【０１５９】
本願に開示されている実施例に説明されている各例示的なユニット及びアルゴリズムのステップを結合し、電子ハードウェア、又はコンピュータソフトウェアと電子ハードウェアの結合を用いて実現することができると、当業者であれば理解できる。これらの機能がハードウェアの形式かそれともソフトウェアの形式で実施するかについては、技術案の特定応用と設計制約によるものである。当業者は、各特定応用に応じて異なる方法を用いて、説明されている機能を実現することができるが、このような実現は本発明の範囲を超えていると見なすべきではない。
【０１６０】
当業者は、説明の便利と簡潔上、上記に記載されているシステム、装置及びユニットの具体的な動作については、上記の方法実施例の対応されているフローを参照することができ、ここでそれ以上述べない。
【０１６１】
本願に提供されている幾つかの実施例において、開示されているシステム、装置及び方法は、その他の方式で実現されても良い。例えば、上記に記載されている装置の実施例は単なる例示的なものに過ぎず、例えば、前記ユニットの分け方が、単なるロジック的な機能分けであり、実際、実現する時に他の分け方があっても良く、例えば、複数のユニット又はコンポーネントを別のシステムへ統合、又は集成しても良く、又は幾つかの技術特徴を省略、又は実施しなくても良い。また、明示され、又は議論されている各構成部分の互い的なカップリング、又は直接のカップリング、又は通信接続は、幾つかのインターフェース、装置、又はユニットの間接のカップリング又は通信によって接続されても良く、電気的、機械的、又はその他の形式であっても良い。
【０１６２】
上記で分離コンポーネントとして説明したユニットは、物理的に分離されるものであっても良く、そうではないものであっても良い。ユニットとして示されるコンポーネントは物理ユニットであっても良く、そうではないものであっても良い。一箇所に配置されても良く、複数のネットワークユニットに配布しても良い。実際のニーズに応じて、その中の一部又は全部のユニットを選択して本実施例の技術案の目的を実現しても良い。
【０１６３】
また、本発明の各実施例における各機能ユニットは、一つの処理ユニットに統合しても良く、各ユニットはそれぞれ単独なユニットとしても良く、二つ又は二つ以上のユニットを一つのユニットに統合しても良い。
【０１６４】
前記機能は、ソフトウェア機能ユニットの方式で実現し、しかも独立な製品として販売又は使用する場合、コンピュータ読み取り可能の記憶媒体に記憶しても良い。これによって、本発明の技術案が事実上、言い換えれば先行技術に貢献した部分がソフトウェア製品の形で具現でき、該コンピュータソフトウェア製品は記憶媒体に記憶され、コンピュータ装置（パソコン、サーバ、またはネットワーク装置などであっても良い）に本発明の各実施例の全部または一部の前記方法を実行させための複数の命令を含む。上記の記憶媒体は、ＵＳＢメモリ、移動記憶媒体、読み取り専用メモリ（ＲＯＭ：Ｒｅａｄ−Ｏｎｌｙ  Ｍｅｍｏｒｙ）、ランダムアクセス記憶装置（ＲＡＭ：Ｒａｎｄｏｍ  Ａｃｃｅｓｓ  Ｍｅｍｏｒｙ）、磁気ディスク又はコンパクトディスクなどの各種のプログラムコードが記憶できる媒体を含む。
【０１６５】
上記に記載されているのは、単なる本発明の具体的な実施形態に過ぎず、本発明はそれに限らず、当業者が本発明に開示されている範囲内において、容易に想到し得る変形又は入れ替えは、全て本発明の範囲内に含まれるべきである。そのため、本発明の範囲は、記載されている特許請求の範囲に準じるべきである。
【図１】
2019512896.tif 000003
【図２】
2019512896.tif 000004
【図３】
2019512896.tif 000005
【図４】
2019512896.tif 000006
【図５】
2019512896.tif 000007
【図６】
2019512896.tif 000008
【図７】
2019512896.tif 000009
【図８】
2019512896.tif 000010
【図９】
2019512896.tif 000011
【図１０】
2019512896.tif 000012
【図１１】
2019512896.tif 000013
【図１２】
2019512896.tif 000014
【図１３】
2019512896.tif 000015
【図１４】
2019512896.tif 000016
【図１５】
2019512896.tif 000017
【手続補正書】
【提出日】平成30年9月20日(2018.9.20)
【手続補正１】
【補正対象書類名】特許請求の範囲
【補正対象項目名】全文
【補正方法】変更
【補正の内容】
【特許請求の範囲】
【請求項１】
通信方法であって、
端末デバイスは、第１の周波数ドメインリソースを確定することと、
前記端末デバイスは第２の周波数ドメインリソースを確定し、前記第２の周波数ドメインリソースが、第２のターゲット時間ユニットにおいて第２の伝送時間間隔（ＴＴＩ）を使用して、第２の物理チャネルを伝送するために用いられると確定されることと、
前記端末デバイスは第３の周波数ドメインリソースを確定することと、
を含み、
前記第１の周波数ドメインリソースが、第１のＴＴＩを使用して第１のターゲット時間ユニットにおいて、第１の物理チャネルを伝送することをサポートするように予め設定される使用可能なリソースであり、ここで、前記第１のＴＴＩの時間長が前記第１のターゲット時間ユニットの時間長と等しく、
ここで、前記第２のＴＴＩが前記第１のＴＴＩ以上であり、しかも前記第２のターゲット時間ユニットが前記第１のターゲット時間ユニットと少なくとも部分的に重なり、
前記第３の周波数ドメインリソースが、前記第２の周波数ドメインリソースの少なくとも一部の周波数ドメインリソースを含み、しかも前記第３の周波数ドメインリソースが、前記第１のＴＴＩを使用して前記第１のターゲット時間ユニットにおいて、前記第１の物理チャネルを伝送することをサポートする最大の使用可能な周波数ドメインリソースである、
ことを特徴とする前記通信方法。
【請求項２】
前記第３の周波数ドメインリソースは、前記第１の周波数ドメインリソースの少なくとも一部の周波数ドメインリソースをさらに含む、
ことを特徴とする請求項１に記載の通信方法。
【請求項３】
前記端末デバイスは、前記第３の周波数ドメインリソースの中から、ターゲット周波数ドメインリソースを確定することと、
前記端末デバイスは、前記ターゲット周波数ドメインリソースを利用して、前記第１のＴＴＩを使用して、前記第１のターゲット時間ユニットにおいて、ネットワークデバイスに前記第１の物理チャネルを送信し、又は前記ネットワークデバイスから送信された前記第１の物理チャネルを受信することと、
をさらに含む、
ことを特徴とする請求項１又は２に記載の通信方法。
【請求項４】
前記端末デバイスは、前記第３の周波数ドメインリソースの中から、ターゲット周波数ドメインリソースを確定することは、
ネットワークデバイスより送信された第１のダウンリンク制御情報を受信することと、
前記ダウンリンク制御情報に基づいて、前記ターゲット周波数ドメインリソースを確定することと、
を含み、
前記第１のダウンリンク制御情報が、ターゲット周波数ドメインリソースの前記第３の周波数ドメインリソースにおける位置を示すために用いられる、
ことを特徴とする請求項３に記載の通信方法。
【請求項５】
前記第３の周波数ドメインリソース内のＰＲＢに対して改めて連続的に順序を付けることをさらに含み、
ここで、前記第１のダウンリンク制御情報が、前記ターゲット周波数ドメインリソースの前記第３の周波数ドメインリソースにおける位置を示すために、前記ターゲット周波数ドメインリソースに対応するＰＲＢの改めて順序を付けた番号を示すために用いられる、
ことを特徴とする請求項４に記載の通信方法。
【請求項６】
前記端末デバイスは、ダウンリンク制御チャネルＰＤＣＣＨチャネルにおいてダウンリンク制御情報を受信し、又は前記第１のターゲット時間ユニットにおいて、前記第１の周波数ドメインリソースにおいてダウンリンク制御情報を受信することをさらに含む、
ことを特徴とする請求項１乃至５のいずれか１項に記載の通信方法。
【請求項７】
前記端末デバイスが第３の周波数ドメインリソースを確定する前に、前記通信方法は、
ネットワークデバイスから送信された、前記第１のリソースを示すための第１の構成情報、
前記第２のリソースを示すための第２の構成情報、
前記第１のＴＴＩを使用して前記第１の物理チャネルを送信又は受信するように前記端末デバイスに指示するための第３の構成情報、及び
前記第２のＴＴＩを使用して前記第２の物理チャネルを送信又は受信するように前記端末デバイスに指示するための第４の構成情報、
のうちの少なくとも一つを受信することをさらに含む、
ことを特徴とする請求項１乃至６のいずれか１項に記載の通信方法。
【請求項８】
前記第１の物理チャネルが動的にスケジューリングするＰＤＳＣＨであり、前記第２の物理チャネルが半永続的にスケジューリングするＰＤＳＣＨであり、又は、
前記第１の物理チャネルが動的にスケジューリングするＰＵＳＣＨであり、前記第２の物理チャネルが半永続的にスケジューリングするＰＵＳＣＨであり、又は、
前記第１の物理チャネルが動的にスケジューリングするＰＵＳＣＨであり、前記第２の物理チャネルが動的にスケジューリングするＰＵＳＣＨであり、
前記第１のターゲット時間ユニットの時間長が前記第２のターゲット時間ユニットの時間長より短い、
ことを特徴とする請求項１乃至７のいずれか１項に記載の通信方法。
【請求項９】
前記第１の物理チャネルがＰＵＳＣＨである場合、前記第１のターゲット時間ユニットと前記第２のターゲット時間ユニットとの所属するサブフレームは、アップリンクサブフレームであり、及び／又は、
前記第１の物理チャネルがＰＤＳＣＨである場合、前記第１のターゲット時間ユニットと前記第２のターゲット時間ユニットとの所属するサブフレームは、ダウンリンクサブフレーム又はＴＤＤ特徴サブフレームである、
ことを特徴とする請求項８に記載の通信方法。
【請求項１０】
端末デバイスであって、
第１の周波数ドメインリソースを確定するように構成される第１の確定ユニットと、
第２の周波数ドメインリソースを確定し、前記第２の周波数ドメインリソースが、第２のターゲット時間ユニットにおいて第２の伝送時間間隔（ＴＴＩ）を使用して、第２の物理チャネルを伝送するために用いられると確定されるように構成される第２の確定ユニットと、
第３の周波数ドメインリソースを確定するように構成される第３の確定ユニットと、
を含み、
前記第１の周波数ドメインリソースが、第１のＴＴＩを使用して第１のターゲット時間ユニットにおいて、第１の物理チャネルを伝送することをサポートするように予め設定される使用可能なリソースであり、ここで、前記第１のＴＴＩの時間長が前記第１のターゲット時間ユニットの時間長と等しく、
前記第２のＴＴＩが前記第１のＴＴＩ以上であり、しかも前記第２のターゲット時間ユニットが前記第１のターゲット時間ユニットと少なくとも部分的に重なり、
前記第３の周波数ドメインリソースが、前記第２の周波数ドメインリソースの少なくとも一部の周波数ドメインリソースを含み、しかも前記第３の周波数ドメインリソースが、前記第１のＴＴＩを使用して前記第１のターゲット時間ユニットにおいて、前記第１の物理チャネルを伝送することをサポートする最大の使用可能な周波数ドメインリソースである、
ことを特徴とする前記端末デバイス。
【国際調査報告】
2019512896.tif 000018
2019512896.tif 000019
2019512896.tif 000020
2019512896.tif 000021